(57)【特許請求の範囲】
【請求項１】
気流を吹き出す吹出し口と、
前記吹出し口から吹き出す気流の風向を左右方向に変える左右風向板と、
前記吹出し口から吹き出す気流の風向を上下方向に変える上下風向板と、
前記左右風向板と前記上下風向板のうちいずれか一方の風向板が、揺動の範囲内の片道を揺動する間に室内の所定位置の方向に到達した場合、他方の風向板を前記所定位置の方向へ向ける気流制御部とを有し、
前記一方の風向板は、前記他方の風向板が前記所定位置の方向に到達するまで停止しており、前記一方の風向板は、前記他方の風向板が前記所定位置の方向へ到達すると、前記揺動を開始する
ことを特徴とする空気調和機。
【請求項２】
前記空気調和機は、さらに、
前記室内の人の位置を検出する人検出部を有し、
前記所定位置は、前記人検出部が検出した位置である
ことを特徴とする請求項１に記載の空気調和機。
【請求項３】
前記空気調和機は、さらに、
前記室内の人の足の位置を検出する足検出部を有し、
前記所定位置は、前記足検出部が検出した位置である
ことを特徴とする請求項１に記載の空気調和機。
【請求項４】
前記一方の風向板が左右風向板であり、前記他方の風向板が上下風向板である場合、
前記上下風向板は、３つの区分に分割されており、
前記揺動の際、該揺動の先頭側の分割の区分は一つ先の前記左右風向板の方向における前記上下風向板の位置にあり、該揺動の最後尾側の分割の区分は一つ後の前記左右風向板の方向における前記上下風向板の位置にある
ことを特徴とする請求項１に記載の空気調和機。
【請求項５】
前記揺動の範囲内の片道に、前記検出した位置が複数ある場合、
前記気流制御部は、前記一方の風向板が前記検出した位置の方向に到達した場合、前記他方の風向板を前記検出した位置の方向へ変更する制御を繰り返す
ことを特徴とする請求項２または請求項３に記載の空気調和機。
【請求項６】
気流を吹き出す吹出し口と、
前記吹出し口から吹き出す気流の風向を左右方向に変える左右風向板と、
前記吹出し口から吹き出す気流の風向を上下方向に変える上下風向板と、
前記左右風向板と前記上下風向板のうちいずれか一方の風向板が、揺動の範囲内の片道を揺動する間に室内の所定位置の方向に近づいた場合、他方の風向板を前記所定位置の方向へ変更する制御をする気流制御部とを有し、
前記一方の風向板は、前記他方の風向板が前記所定位置の方向に近づくまで停止しており、前記一方の風向板は、前記他方の風向板が前記所定位置の方向へ近づくと、前記揺動を開始する
ことを特徴とする空気調和機。
【発明の詳細な説明】
【技術分野】
【０００１】
本発明は、空気調和機に関する。
【背景技術】
【０００２】
特許文献１には、上下風向変更手段を上下方向の風向変更の一周期の整数倍とは一致しない時間だけ駆動する第１駆動手段と、第１駆動手段による上下風向変更手段の駆動終了後、左右風向変更手段を左右方向の風向変更の半周期以上の時間駆動する第２の駆動手段と、第２の駆動手段による左右風向変更手段の駆動終了後、再度第１駆動手段を動作させるように設定した空気調和機の制御装置が記載されている。
【先行技術文献】
【特許文献】
【０００３】
【特許文献１】特開平５−７９６８０号公報
【発明の概要】
【発明が解決しようとする課題】
【０００４】
特許文献１は、吹出し口から吹き出される吹出風の向きを上下方向で一旦固定した状態で、吹出風の向きを左右方向に変更させることができ、上下方向での室内全体の風が安定した流れを作った状態で左右方向の風向きが変更される。このため、吹出風の風向特性を改善することができ、吹出風の到達距離を増大させ得る。室内全体の冷暖房等の空気調和を効率よく行なうことができる。
【０００５】
しかしながら、例えば、暖房運転時等で風向の制御範囲内の所定の位置（例えば、人の足元）に送風することが求められる。すなわち、上下風向板と左右風向板の両方を用いて、室内の空調したい領域に集中して送風するとともに、室内全体の冷暖房等の空気調和を効率よく行なうことが望まれていた。また、室内の人がひとりとは限らず、複数の所定の位置に対して効率よく行うことが望まれていた。
【０００６】
本発明は、前記の課題を解決するための発明であって、適切に風向を制御できる空気調和機を提供することを目的とする。
【課題を解決するための手段】
【０００７】
前記目的を達成するため、本発明の空気調和機は、気流を吹き出す吹出し口と、吹出し口から吹き出す気流の風向を左右方向に変える左右風向板と、吹出し口から吹き出す気流の風向を上下方向に変える上下風向板と、左右風向板と上下風向板のうちいずれか一方の風向板が、揺動の範囲内（例えば、スイング範囲内）の片道を揺動する間に室内の所定位置の方向に到達した場合、他方の風向板を所定位置の方向へ向ける気流制御部とを有し、一方の風向板は、他方の風向板が所定位置の方向に到達するまで停止しており、一方の風向板は、他方の風向板が所定位置の方向へ到達すると、揺動を開始することを特徴とする。本発明のその他の態様については、後記する実施形態において説明する。
【発明の効果】
【０００８】
本発明によれば、適切に風向を制御できる。
【図面の簡単な説明】
【０００９】
【図１】本実施形態に係る空気調和機の外観構成を示す説明図である。
【図２】本実施形態に係る空気調和機の室内機の構成を示す説明図である。
【図３】本実施形態に係る空気調和機の室外機の構成を示す説明図である。
【図４】本実施形態に係る空気調和機のリモコンの外観を示す説明図である。
【図５】本実施形態に係る空気調和機のセンサ部の構成を示す説明図である。
【図６】本実施形態に係る可視光カットフィルタを有する撮像部の構成を示す説明図である。
【図７】可視光カットフィルタを介して撮像した場合の波長域の一例を示す説明図である。
【図８】本実施形態に係る空気調和機の制御部の構成を示す説明図である。
【図９】制御部の処理の全体概要を示すフローチャートである。
【図１０】撮像制御部、障害物検出部および通り抜け可否検出部の処理を示すフローチャートである。
【図１１】障害物検出部の物体の有無の判定処理を示す説明図である。
【図１２】通り抜け可否検出部の物体の重心を用いた判定処理を示す説明図である。
【図１３】通り抜け可否検出部の物体の積算面積を用いた判定処理を示す説明図である。
【図１４】各種家具の下端からの高さによる積算面積の割合を示す説明図である。
【図１５】物体が障害物であるか否かの判定処理の一例を示す説明図である。
【図１６】足検出の全体処理を示すフローチャートである。
【図１７】足検出の差分方式および領域分割方式を示すフローチャートである。
【図１８】足検出の差分方式および領域分割方式を示す説明図である。
【図１９】気流制御部の気流モード選択処理を示すフローチャートである。
【図２０】気流制御部の左右風向と上下風向の連動処理を示すタイムチャートである。
【図２１】第１の実施例に係る障害物上気流モード、足元気流モード、障害物下気流モードの風向を示す説明図である。
【図２２】左右風向と上下風向の連動を示すタイムチャートである。
【図２３】第２の実施例に係る間取りモードの風向を示す説明図である。
【図２４】間取りモードでの風向位置の選択処理を示すフローチャートである。
【図２５】室内の間取りと風向のセル位置との関係を示す説明図である。
【図２６】間取りモードでの左右風向と上下風向の連動を示すタイムチャートである。
【図２７】第３の実施例に係る他の風向位置を示す説明図である。
【図２８】上下風向が３区分の場合の空気調和機の外観構成を示す説明図である。
【図２９】上下風向が３区分の場合の風向セルの位置を示す説明図である。
【図３０】撮像部の水平方向の向きの移動と視野角を示す説明図である。
【図３１】撮像制御部の処理を示すフローチャートである。
【図３２】人検出部の人位置判定処理を示すフローチャートである。
【図３３】人検出部の人位置判定処理を示す説明図である。
【図３４】壁検出部のコーナ方向判定処理を示すフローチャートである。
【図３５】壁検出部のコーナ方向判定処理で行う画像処理を示す図である。
【図３６】壁検出部のコーナ方向判定処理での室内の平面を示す説明図である。
【図３７】壁検出部のコーナ方向判定処理を示す説明図である。
【図３８】壁検出部の拡がり範囲判定処理を示すフローチャートである。
【図３９】壁検出部の拡がり範囲判定処理での室内配置を示す平面図である。
【発明を実施するための形態】
【００１０】
本発明を実施するための実施形態について、適宜図面を参照しながら詳細に説明する。最初に本願発明の概要について説明する。
【００１１】
図１は、本実施形態に係る空気調和機の外観構成を示す説明図である。空気調和機Ａは、例えばヒートポンプ技術等を用い、冷房等室内の空気調和を行う装置である。空気調和機Ａは、大別して、室内の壁や天井、床等に設置される室内機１００と、屋外等に設置される室外機２００と、赤外線や電波、通信線等により室内機１００と通信してユーザが空気調和機Ａを操作するためのリモコン４０（リモートコントローラ、空調制御端末）と、室温や外気温等の空気調和機の制御や表示に用いる情報を入手するための各種のセンサ部５０（図５参照）とからなる。また、室内機１００と室外機２００とは、冷媒配管と通信ケーブル（図示せず）で接続されている。さらに、室内機１００は、センサ部５０のひとつのセンサとして、室内を撮影する撮像部１１０を有している。
【００１２】
室内の温度を検出する温度検知部１３０を撮像部１１０の一方に配置している。このような配置により、撮像部１１０と温度検知部１３０の検出対象までの距離や角度の検出誤差を減らすことができる。近赤外線光源１２０を撮像部１１０の他方に配置している。このような配置により、撮像部１１０の検出範囲や角度と近赤外線光源１２０の照射範囲や角度の差を減らすことができる。すなわち、撮像部１１０を挟んで両側に温度検知部１３０と近赤外線光源１２０を配置することが望ましい。
【００１３】
さらに、本実施形態では撮像部１１０または温度検知部１３０の横に足元モニター１４０を配置している。そして、後述するように、撮像部１１０または温度検知部１３０によって足元を検出した時、または、足元を推定した時に足元モニター１４０を点灯し、足元を検出できたことをユーザが確認することができる。なお、この足元モニター１４０は室内機１００だけではなく、リモコン４０に配置するようにしてもよい。
【００１４】
＜室内機＞
図２は、本実施形態に係る空気調和機の室内機の構成を示す説明図である。室内機１００は、熱交換器１０２、送風ファン１０３、左右風向板１０４（風向部）、上下風向板１０５（風向部）、前面パネル１０６、筐体ベース１０１、各種のセンサ部５０（図５参照）等を有している。センサ部５０のうち、撮像部１１０、近赤外線光源１２０、温度検知部１３０および足元モニター１４０を吹出し風路上面１０９ｃの上方であって、ドレンパン９９の下方の空間に配置している。これらのセンサ等は居住空間に向くよう斜め下方に傾けて設置する必要があり、本実施形態では、基板自体を斜め下方に向けて設置して、これらのセンサ等を基板に直接接続している。なお、必ずしも撮像部１１０、近赤外線光源１２０、温度検知部１３０および足元モニター１４０の全てを室内機１００に搭載する必要はなく、実施形態に合わせて適宜室内機１００に搭載するセンサ等を選択すればよい。また、センサの前面には光透過部材１５０を配置するとよい。
【００１５】
熱交換器１０２は、複数本の伝熱管１０２aを有し、送風ファン１０３により室内機１００内に取り込まれた室内の空気を、伝熱管１０２ａを通流する冷媒と熱交換させ、当該空気を冷却または加熱等するように構成されている。なお、伝熱管１０２ａは、前記した冷媒配管に通じていて、公知の冷媒サイクルの一部を構成している。送風ファン１０３は、風速を調節可能である。左右風向板１０４は、その基端側が室内機下部に設けた回転軸を支点にして左右風向板用モータにより正逆回転される。そして、左右風向板１０４の先端側が室内側を向いていて、これにより左右風向板１０４の先端側は水平方向に振れるように動作可能である。上下風向板１０５は、室内機１００の長手方向両端部に設けられた回転軸を支点にして上下風向板用モータにより正逆回転される。これにより、上下風向板１０５の先端側は、上下方向に振れるように動作可能である。前面パネル１０６は、室内機の前面を覆うように設置されており、下端部の回転軸を支点として前面パネル用モータにより正逆回転可能である。ちなみに、前面パネル１０６は、回転動作を行うことなく、室内機１００の下端に固定されたものとしてもよい。
【００１６】
室内機１００は、送風ファン１０３が回転することによって、空気吸込み口１０７およびフィルタ１０８を介して室内の空気を室内機１００内に取り込み、この空気を熱交換器１０２で熱交換する。これにより、当該熱交換後の空気は、熱交換器１０２で冷却され、あるいは、加熱される。この熱交換後の空気は吹出し風路１０９aに導かれる。さらに、吹出し風路１０９ａに導かれた空気は、空気吹出し口１０９ｂから室内機外部に送り出されて室内を空気調和する。そして、この熱交換後の空気吹出し口１０９ｂから室内に吹き出す際には、その水平方向の風向きは左右風向板１０４により調節され、その上下方向の風向きは上下風向板１０５により調節される。
【００１７】
＜室外機＞
図３は、本実施形態に係る空気調和機の室外機の構成を示す説明図である。空気調和機Ａ（図１参照）の室外機２００には、冷媒を圧縮する圧縮機２０２、高圧の冷媒を減圧する膨張弁、冷媒の流路を切り替える四方弁、外気と冷媒とを熱交換する熱交換器２０６等の装置を備えている。室外機２００は、仕切り板２１１と電装品箱２１０とリード線支持部品２０９とにより、熱交換器室２０４と機械室２０５とを区分（分割）している。熱交換器室２０４には、冷媒配管を循環する冷媒の外気との熱交換を促進するプロペラファン２０７とその駆動用のモータ、プロペラファン２０７を回転自在に支持するファン支柱、および外気と循環する冷媒の熱交換を行う熱交換器２０６が配設されている。機械室２０５には、循環する冷媒を高温高圧のガス冷媒にする圧縮機２０２、常温・高圧の液状冷媒を低温・低圧の液状冷媒にする電動膨張弁、電気部品のリアクタ、および、冷媒が流れる冷媒配管の伝熱管が配設されている。電装品箱２１０には、室外機２００を制御する電装品が収納されており、その上部には電装品蓋が被せられている。
【００１８】
＜リモコン＞
図４は、本実施形態に係る空気調和機のリモコンの外観を示す説明図である。適宜図８を参照する。リモコン４０はユーザによって操作され、室内機１００のリモコン受信部Ｑ（図１参照）に対して赤外線信号を送信する。当該信号の内容は、運転要求、設定温度の変更、タイマ、運転モードの変更、停止要求等の様々な指令である。空気調和機Ａ（図１参照）は、これらの信号に基づいて、少なくとも室内の冷房、暖房、除湿等を行うことができる。また、空気清浄等、その他の空気調和の機能を備えていてもよい。空気調和機Ａは、室内の空気を様々に調整することができる。
【００１９】
リモコン４０の表示画面４１には、図１９等で説明する足元気流が実行中であるか否かを示す旨４２が表示されている。具体的には、表示内容には、足元気流のほか、障害物上気流等がある。
【００２０】
自動運転ボタン４３を押すことで、センサ部５０（図５参照）の検知結果に基づいて、自動で冷房、暖房、除湿等を選択し、設定温度等も調整する自動運転を開始する。さらに、本実施形態では、自動運転ボタン４３を押すことで、障害物検出部６５および通り抜け可否検出部６６の実行を開始し、風向制御に反映するようにしている。そのため、ユーザは１回の操作で運転を開始でき、別途、障害物検出部６５および通り抜け可否検出部６６の実行を操作する必要がない。
【００２１】
また、本実施形態では、リモコン４０内部のボタン（図示せず）によって自動運転ボタン４３を押しても障害物検出部６５および通り抜け可否検出部６６を実行させないよう、または、これらの検知結果に基づく風向制御を実行させないよう操作できるようにしている。
【００２２】
さらに、本実施形態では、自動運転ボタン４３に加えて、足元気流ボタン４４（操作部、３Ｄ足元気流ボタン）を専用に設けている。本実施形態では、足元気流ボタン４４をリモコン４０の表面に設けており、暖房運転ボタン等で運転を開始するユーザに対しても、簡単に足元気流運転を開始できるようにしている。つまり、本実施形態では、少なくとも足元気流ボタン４４で、人検出部６２、壁検出部６４、障害物検出部６５および通り抜け可否検出部６６の検出結果に基づく風向制御を開始できるようにしている。なお、足元気流ボタン４４はリモコン４０の内部に配置するようにしてもよい。
【００２３】
本実施形態では、停止ボタンの下に、使用頻度が高い機能についての専用ボタンとして、足元気流ボタン４４と間取り気流ボタン４５を配置している。ちなみに、間取り気流ボタン４５は撮像部１１０によって室内の間取りを検知し、間取りに合わせたスイング運転を開始するボタンである。
【００２４】
＜センサ部＞
図５は、本実施形態に係る空気調和機のセンサ部の構成を示す図である。センサ部５０は、室内機１００と室外機２００に備えられている。センサ部５０は、室温センサ、人、物体および室内の表面温度を検知する温度検知部１３０（図１参照）、外気温センサ、湿度センサ、冷媒配管温度センサ、圧縮機温度センサ、撮像部１１０（図１参照）、時計等により構成される。撮像部１１０は、図１に示すように前面パネル１０６の左右方向中央の下部に設置されている。
【００２５】
温度検知部１３０がサーモパイルである場合、例えば横×縦が１×１画素、４×４画素、１×８画素で構成され、前面パネル１０６の左右方向中央の下部に設置されている。これ以外にも、赤外線センサ、近赤外線センサ、サーモグラフィーを使用してもよい。温度検知部１３０で検出するのは、室内の平均的な表面温度に限られず、検出範囲の内、人を除いた領域の室内の表面温度、人の着衣の表面温度、人の皮膚の温度、床の表面温度でもよい。
【００２６】
＜撮像部＞
図６は、本実施形態に係る可視光カットフィルタを有する撮像部の構成を示す説明図である。図６は撮像部１１０を上方からみた図である。撮像部１１０は、可視光および近赤外線を撮像できるものを用いている。従来、人を検出する場合等の撮像部では、撮像部内部に、赤外線カットフィルタを取り付けているが、本実施形態では、近赤外線をカットしないようにするために取り付けていない。可視光カットフィルタ１１２を撮像部本体１１１の回りに配置し、可視光カットフィルタ１１２を回転させて撮像部本体１１１の前に移動させる構造としている。
【００２７】
具体的には、撮像部１１０は、ＣＣＤ（Charge Coupled Device）イメージセンサである撮像部本体１１１の周囲に、開口部１１３を有する円環状の可視光カットフィルタ１１２を配置している。可視光カットフィルタ１１２は、フィルタ用モータ１１４でフィルタ用ギア１１５（フィルタ可動機構）を介して、撮像部本体１１１の周囲を回転させることができる。これにより、通常の撮像をするときは、可視光カットフィルタ１１２の開口部１１３を介して撮影することで、可視光カットフィルタ１１２を通さずに撮影することができる。一方、後記する物体を検出する場合には、可視光カットフィルタ１１２を回転させて、可視光カットフィルタ１１２を介して、撮像部本体１１１と連動して駆動できる。また、必要に応じて、近赤外線光源１２０（図１参照）を撮影前に点灯し、近赤外線を照射することにより、さらに鮮明に近赤外線の反射光を撮像することができる。
【００２８】
図７は、可視光カットフィルタを介して撮像した場合の波長域の一例を示す説明図である。紫外線および可視光がカットされ、近赤外線近傍（例えば、８５０ｎｍ）の波長域を利用して撮像することができる。近赤外線は、物体の色彩や模様が反映されず、物体の形状だけが反映される特徴がある。これにより物体の形状を鮮明にとらえることができる。また、色彩情報を使用しないので、必要とされる画像上の情報量が減り、物体を検出する際の精度向上につながる。
【００２９】
図３０は、撮像部の水平方向の向きの移動と視野角を示す説明図である。図３０を参照して、撮像部１１０の水平方向の向きの移動と視野角について説明する。図３０は、室内機１００および当該室内機１００が設けられている室内を鉛直上方側からみた概念図であり、図３０の上側は当該室内機１００が取り付けられている壁側となり、下側は室内機１００が取り付けられている室内の室内機１００の前方側の空間となる。
【００３０】
この例で、撮像部１１０の水平方向の視野角はおよそ６０°である。よって、撮像部１１０の水平方向の向きが真正面（方向３１１）にあるときに撮像部１１０で撮像すれば、矢印の範囲３１２の室内の画像の撮像を行うことができる。また、方向３１１から撮像部１１０の向きを室内機１００に向かって右に例えば４５°移動させ、方向３１３の向きで撮像すれば、矢印の範囲３１４の室内の画像の撮像を行うことができる。さらに、方向３１１から撮像部１１０の向きを室内機１００に向かって左に例えば４５°移動させ、方向３１５の向きで撮像すれば、矢印の範囲３１６の室内の画像の撮像を行うことができる。これにより、本例では室内機１００が設置された室内を合計で約１５０°の視野角で撮像することができる。また、矢印の範囲３１２と矢印の範囲３１４とは一部（約１５°の範囲）重なって画像を取得することができ、同様に矢印の範囲３１２と矢印の範囲３１６とは一部（約１５°の範囲）重なって画像を取得することができる。また、前記の約１５０°の視野角で室内の画像を撮像するためには、方向３１３から方向３１５までの範囲で撮像部１１０の向きを水平方向に変動すればよい。なお、壁検出部６４（図８参照）が検出した室内のコーナは、コーナ３７３と示されている。他の符号については後記する。
【００３１】
＜制御部＞
図８は、本実施形態に係る空気調和機の制御部の構成を示す説明図である。制御部６０は、電装品に備えられている。制御部６０は、送受信部４７を介するリモコン４０からの情報と、センサ部５０からの情報に基づき、室内機１００の送風ファン１０３、左右風向板１０４、上下風向板１０５を駆動し、室外機２００の圧縮機２０２、プロペラファン２０７を駆動する。
【００３２】
制御部６０は、後記する第１の撮影モードおよび第２の撮影モードで撮像部１１０を制御する撮像制御部６１（図３０、図３１参照）と、撮像部１１０で撮影された画像に基づいて、室内の人の位置を検出する人検出部６２（図３２、図３３参照）と、検出された人の足の位置または足の特徴から足の位置を検出する足検出部６３（図１６〜図１８）と、撮像部１１０で撮影された画像に基づいて、室内の壁位置を検出する壁検出部６４（図３４〜図３９参照）と、可視光カットフィルタ１１２を介して撮像部１１０で撮影された近赤外線画像に基づいて、気流が通る経路において障害物となる物体およびその位置（障害物の位置）を検出する障害物検出部６５（図１０、図１１参照）と、障害物検出部６５で検出された障害物が気流を通り抜ける形状であるか否かを検出する通り抜け可否検出部６６（図１２〜図１４参照）と、足検出部６３が人の足元を検出できない場合（例えば、図１９の処理Ｓ１９１，Ｎｏの場合）、障害物の有無および障害物が気流を通り抜ける形状であるか否かに基づいて、送風する気流方向を変更する気流制御部６８（図１６〜図２１参照）と、記憶部６９とを有する。
【００３３】
＜撮像制御部＞
図３１は、撮像制御部の処理を示すフローチャートである。図３０を参照して、撮像制御部６１の撮像処理について説明する。撮像部１１０での室内の撮像は所定時間ｔ１（一例を挙げれば１時間）ごとに行う。すなわち、撮像制御部６１（図８参照）は、前回の撮像部１１０による撮像処理の終了から所定時間ｔ１を経過したときは（処理Ｓ１，Ｙｅｓ）、ステッピングモータを制御して取付け部材を駆動することにより、例えば一定の角速度で撮像部１１０の水平方向の向きの移動を開始する（処理Ｓ２）。この動作は、例えば図３０に示す向き３１８側から向き３１７側に向かって開始する。そして、撮像制御部６１は、撮像部１１０の向きが方向３１５に達したときは（処理Ｓ３，Ｙｅｓ）、必要に応じて一時停止して撮像部１１０で撮像を行い、画像データを「左画像」（左画面）として記憶部６９（図８参照）に記憶する（処理Ｓ４）。次に、撮像部１１０の向きが方向３１１に達したときは（処理Ｓ５，Ｙｅｓ）、撮像制御部６１は、必要に応じて一時停止して撮像部１１０で撮像を行い、画像データを「中画像」（中画面）として記憶部６９に記憶する（処理Ｓ６）。次に、撮像部１１０の向きが方向３１３に達したときは（処理Ｓ７，Ｙｅｓ）、撮像制御部６１は、必要に応じて一時停止して撮像部１１０で撮像を行い、画像データを「右画像」（右画面）として記憶部６９に記憶する（処理Ｓ８）。
【００３４】
そして、図３０に示すように撮像部１１０の向きが方向３１３に達したときは、ステッピングモータの回転方向を逆転して、方向３１３から方向３１８に向かって撮像部１１０の水平方向の向きの変動を開始する（処理Ｓ９）。この方向３１３から方向３１８に向かって撮像部１１０が移動している間は、撮像部１１０による撮像は行わない。そして、方向３１５に撮像部１１０の向きが戻ったときは（処理Ｓ１０，Ｙｅｓ）、その時刻を記憶部６９に記憶し、ステッピングモータを停止して（処理Ｓ１１）、リターンする。時刻の記憶は画像データを「右画像」として記憶部６９に記憶した後（処理Ｓ８）に行ってもよい。
【００３５】
また、撮像制御部６１（図８参照）は、可視光カットフィルタ１１２と、室内を撮影する撮像部本体１１１とを有する撮像部１１０（図６参照）を制御する。この際に、撮像制御部６１は、可視光カットフィルタ１１２を撮像部本体１１１の前面に位置させた状態で撮像部本体１１１によって室内を撮影する第１の撮影モードと、可視光カットフィルタ１１２を撮像部本体１１１の前面に位置させない状態で撮像部本体１１１によって室内を撮影する第２の撮影モードとを有する。
【００３６】
＜人検出部＞
人検出部６２（図８参照）は、可視光カットフィルタ１１２（図６参照）を介する撮像部１１０で撮影（第１の撮影モードにより撮影）された画像に基づいて、室内の人の位置を検出する。撮像部１１０以外にも、赤外線センサ、近赤外線センサ、サーモグラフィー、焦電型センサ、超音波センサ、騒音センサを使用してもよい。人検出部６２で検出するのは、人の有無に限られず、位置、活動量、生活シーン等を検出してもよい。
【００３７】
人の位置は、撮像部１１０で撮像された画像から人の頭部等の位置を検出し、頭部の位置を人の位置としている。さらに、本実施形態では、人の位置に加え、人の足元の位置も検出している。
【００３８】
＜足検出部＞
足検出部６３（図８参照）は、人の足元の位置を撮像部１１０で撮像された画像に基づいて、直接人の足元の位置を検出するようにしてもよい。また、人検出部６２が検出した人の頭部等の位置を検出し、人の頭部等の位置から人の足元の位置を推定するようにしてもよい。詳細については、図１６〜図１８を参照して後記する。
【００３９】
＜壁検出部＞
壁検出部６４（図８参照）は、可視光カットフィルタ１１２を介さない撮像部１１０で撮影（第２の撮影モードにより撮影）された画像に基づいて、画像内のエッジの抽出し、太く長いエッジを抽出し、直線を延長し、交点を作成し、交点の重心点を消失点とする。このことにより、壁検出部６４は、室内のコーナ３７３を検出し、検出したコーナ３７３（図３０参照）を壁と壁あるいは壁と天井あるいは壁と床の接線とし、室内の壁や天井や床の面の位置を検出している。
【００４０】
なお、人検出部６２で検出した人の位置を累積し、人の位置の累積値に基づいて、コーナ３７３の検出結果を補完してもよい。すなわち、人の位置の累積値よりも外側に室内の壁が存在し、人の位置の累積値よりも内側に室内の壁が存在することはないため、室内の壁が人の位置の累積値よりも内側の位置で検出された場合は、当該検出結果を除外するようにしてもよい。詳細については、図３８および図３９を参照して後記する。
【００４１】
＜障害物検出部＞
障害物検出部６５（図８参照）は、可視光カットフィルタ１１２を介して撮像部１１０で撮影（第１の撮影モードにより撮影）された画像から、気流が通る経路の障害物となる物体およびその位置を検出する。具体的には、室内にある、テーブル、こたつ、椅子、ソファ、本棚、食器棚、箪笥等の家具や、壁、床、天井、戸、窓、小梁、欄間の建具等を検出する。詳細については図１１を参照して後記する。
【００４２】
＜通り抜け可否検出部＞
通り抜け可否検出部６６（図８参照）は、障害物検出部６５が検出した物体の下方等の輝度を検出し、輝度が高ければ近赤外線を反射する物体があると推定し、輝度が低ければ、例えば、物体の足元は通り抜け可能であると推定することができる。これ以外にも、各種物体の具体的な通り抜け判定手段として下記がある。
【００４３】
（１）物体の重心を用いる方法（図１２参照）
通り抜け可否検出部６６は、障害物検出部６５が検出した物体の下端からの重心位置の高さＬと物体の高さＨに基づき、脚長家具であるか脚短家具であるか否かを判定する。具体的には、通り抜け可否検出部６６は、物体の重心位置の高さＬの物体の高さＨに対する割合が、所定値（例えば、７０％）以上である場合に脚長家具と判定し、気流が通り抜けできると推定する。また、通り抜け可否検出部６６は、物体の重心位置の高さＬの物体の高さＨに対する割合が、所定値未満である場合に脚短家具と判定し、気流が通り抜けできないと推定する。詳細については、図１２を参照して後記する。
【００４４】
（２）物体の積算面積を用いる方法（図１３参照）
通り抜け可否検出部６６は、障害物検出部６５が検出した物体の下端から所定の高さＭまでの物体の積算面積が全面積に占める割合と、物体の下端からの所定の高さＭの物体の高さＨに対する割合とに基づき、脚長家具であるか脚短家具であるか否かを判定する。具体的には、物体の下端から物体の面積を積算していき、積算した面積が物体の全面積の例えば３０％（＝所定値）に達するような高さをＭとする。高さＭの物体の高さＨに対する割合が、所定値（例えば、５０％）以上である場合、通り抜け可否検出部６６は、脚長家具と判定し、気流が通り抜けることができると推定する。また、通り抜け可否検出部６６は、物体の全面積に対する積算面積が所定値における、物体の下端からの高さＭの物体の高さＨに対する割合が、所定値未満である場合、脚短家具と判定し、気流が通り抜けできないと推定する。詳細については、図１３を参照して後記する。
【００４５】
本実施形態の通り抜け可否検出部６６が、画像内の所定の範囲内に占める物体の面積の割合が所定値以下である場合に、物体の足元は通り抜け可能であると推定することで、物体の方向に送風した場合に通り抜けられない程度を推定することが可能となる。通り抜けられない物体に対して単位時間当たりの供給熱量を下げることが可能となる。また、通り抜けられる方向に対して単位時間あたりに供給する熱量を上げることが可能となり、快適性を向上させることが可能となる。
【００４６】
図１５は、物体が障害物であるか否かの判定処理を示す説明図であり、（ａ）および（ｂ）は異なる大きさの物体を示すものである。物体が障害物であるか否かは、例えば、物体の幅、高さ、または、面積で判定するとよい。例えば、物体の幅で判定する場合は、所定値未満の場合、気流が通る経路の障害物でないと判定し、物体の高さが所定値以下である場合、気流が通る経路の障害物でないと判定する。
【００４７】
物体の大きさと室内機１００から物体までの距離に基づいて障害物を判断するとよい。具体的には、物体の画面の面積および物体までの距離から物体の面積、横幅または縦幅の絶対値を算出し、物体の面積、横幅または縦幅が所定値以上であるか否かに基づいて、物体が障害物であるか否か判定するとよい。
【００４８】
面積で判定する場合について、図１５を参照して説明する。撮像部１１０で撮影した左画面、中画面、右画面をひとつにまとめた室内の画像の全幅をＸとし、全高さをＹとする。その画像中にある物体の横幅をｘ、縦幅をｙとする。物体が障害物であるか否かは、全画面の面積に対する物体の面積が所定値（例えば、８％）未満の場合、気流が通る経路の障害物でないと判定し、全画面の面積に対する物体の面積が所定値以上の場合、気流が通る経路の障害物であるとして判定するとよい。
【００４９】
図１５（ａ）の場合、ｘ／Ｘが２０％であり、ｙ／Ｙが１５％とすると、全画面の面積に対する物体の面積は３％であり、気流が通る経路の障害物でないと判定される。一方、図１５（ｂ）の場合、全画面の面積に対する物体の面積は１０％であり、気流が通る経路の障害物として判定される。
【００５０】
全ての物体について、風が通り抜けできるか判断しようとすると、制御部６０を構成するマイコンの処理時間が長くなるため、本実施形態では、風の通り抜けに影響を与える程度の大きさの物体について判断するようにしている。すなわち、物体を検出したときに物体の縦方向の長さ、横方向の長さまたはその両方が所定値以上であるか否か判断し、小さなゴミ箱等の所定値以下の物体を検出対象から除外する。このようにすることで、マイコンの処理スピードを向上させることができる。
【００５１】
次に処理内容について説明する。
図９は、制御部の処理の全体概要を示すフローチャートである。制御部６０は、運転を開始すると、人を検出し（処理Ｓ９１）、人の足を検出する（処理Ｓ９２）ことにより、人の位置を把握する。計測から１時間経過していない場合（処理Ｓ９３，Ｎｏ）、処理Ｓ９１に戻る。計測から１時間経過した場合（処理Ｓ９３，Ｙｅｓ）、制御部６０は、通り抜け検出処理を含む物体検出を行う（処理Ｓ９４）。そして、物体検出処理後、再度人を検出し（処理Ｓ９５）、室内のコーナ検出をし（処理Ｓ９６）、人の検出をし（処理Ｓ９７）、最後に間仕切りの開閉を検出し（処理Ｓ９８）、一連の処理を終了する。処理Ｓ９５〜処理Ｓ９８の処理により、人の位置およびコーナ検出に基づいて、室内の大きさを判定している。なお、本実施形態では、撮像部１１０で撮影された画像に基づいて人の位置を把握しているが、撮像部１１０の代わりに、温度検知部１３０または焦電型赤外線センサを用いて人の位置を把握するようにしてもよい。
【００５２】
図１０は、撮像制御部、障害物検出部および通り抜け可否検出部の処理を示すフローチャートである。図１０は、図９の処理Ｓ９４の詳細な処理である。図１０の処理は、制御部６０の処理であるが、撮像制御部６１、障害物検出部６５および通り抜け可否検出部６６の主体を明瞭にして説明する。
【００５３】
障害物検出部６５は、室内に太陽光が照射されているか否か（太陽光有無）を判定する（処理Ｓ９０１）。障害物検出部６５の判定は、光源を検出して、太陽光が室内に入らない状態のとき、または、室内に入り込む太陽光の量が所定値以下であるときに実行するとよい。太陽光には近赤外線も含まれているため、窓から太陽光が入り込む場合、太陽光が照射された場所に物体があると誤検出するおそれがあるからである。そこで、本実施形態では、光源を検出して、太陽光が室内に入らない状態のときに、または、室内に入り込む太陽光の量が所定値以下であるときに実行する。他の太陽光有無の判定方法として、光源そのものの識別をしなくても、時間帯によって太陽が出ていない時間帯に物体検出モードを実行してもよい。なお、ユーザが間違った時間帯を設定した場合、物体検出することができなくなるおそれがあるため、また、白熱灯によっても物体検出の誤検出をするおそれがあるため、光源識別を実行できることが望ましい。
【００５４】
撮像制御部６１は、開口部１１３（図６参照）に可視光カットフィルタ１１２をかけるように移動する（処理Ｓ９０２）。そして、撮像制御部６１は、撮像部１１０を初期の撮像位置（例えば、左画面の撮影位置）に移動し（処理Ｓ９０３）、近赤外線光源１２０（図１参照）を点灯し、近赤外線を照射する（近赤外線照射ＯＮ）（処理Ｓ９０４）。撮像制御部６１は、室内の撮像（撮影）をし（処理Ｓ９０５）、近赤外線光源１２０を消灯し、近赤外線の照射を停止する（近赤外線照射ＯＦＦ）（処理Ｓ９０６）。
【００５５】
障害物検出部６５は、物体の有無判定を行う（図１１参照）（処理Ｓ９０７）。そして通り抜け可否検出部６６は、障害物検出部６５で検出された物体について、足元通り抜け推定を行う（図１２参照、図１３参照）（処理Ｓ９０８）。
【００５６】
次に、撮像制御部６１は、左画面、中画面、右画面の３方向の撮影が終了したか否かを判定し（処理Ｓ９０９）、３方向の撮影が終了していない場合（処理Ｓ９０９，Ｎｏ）、処理Ｓ９０３に戻る。一方、３方向の撮影が終了している場合（処理Ｓ９０９，Ｙｅｓ）、撮像制御部６１は、可視光カットフィルタ１１２を元の位置に移動する（処理Ｓ９１０）。
【００５７】
図９および図１０の制御フロー、特に、物体検出処理（障害物検出処理、物体検出モード）および通り抜け可否検出は、リモコン４０の自動運転ボタン４３（図４参照）を押下すると、自動運転を実行するが、一定時間おきに物体検出モードを実行する。本実施形態の場合は、１時間おきに実行している。なお、物体検出モードを自動運転ボタン４３（図４参照）とは別のボタンによって実行してもよい。
【００５８】
障害物検出部６５で実行する物体検出モードでは、可視光カットフィルタ１１２を有する撮像部１１０を用いる。また、物体検出精度を高める場合、必要に応じて近赤外線光源１２０（例えば、近赤外線ＬＥＤ（Light Emitting Diode））も用いる。撮像部１１０は、前記したように通常の撮像と同じように左右方向に駆動し、室内を撮像する。近赤外線光源１２０は、撮像部１１０による撮像の直前から室内を照射し、撮像部１１０による撮像が終了すると、照射を終了する。撮像部１１０による撮像するタイミングだけ近赤外線光源１２０を照射するようにすることで、物体検出モード実行中に、近赤外線光源１２０により近赤外線を照射し続ける場合に比べて、近赤外線光源１２０の寿命を延ばすことができる。
【００５９】
本実施形態では、撮像部１１０は左方向、中方向、右方向の３回撮像を行うため、近赤外線光源１２０も撮像部１１０による撮像のタイミングに合わせて３回照射をする。そして、障害物検出部６５で撮像された画像の処理を行い、家具等の物体の形状を検出する。
【００６０】
ここで、通常、物体の形状を抽出する場合において、物体の色彩や模様により正確な物体の形状を抽出することができないおそれがある。そこで、本実施形態では、物体検出モード時に可視光カットフィルタ１１２を移動させて撮像部１１０の前面に位置させ、かつ、近赤外線光源１２０を照射させている。近赤外線は、物体の色彩や模様が反映されず、物体の形状だけが反映される特徴がある。この近赤外線の特徴を活かすことで、物体の色彩や模様による誤検出を防ぎ、物体の形状をより正確に検出することができる。このように検出精度を高めることで、物体が、脚付きのテーブルやイス等の風が通り抜けできる形状であるのか、ソファ等の風が通り抜けできない形状であるのかを精度よく判別することができる。
【００６１】
本実施形態の物体検出モードの際、撮像制御部６１は、約８５０ｎｍ付近に波長のピークを持つ近赤外線光源１２０を照射するとよい。撮像した画像は、近赤外線を撮像部１１０の方向に反射するほど白く、撮像部１１０の方向に反射しないほど黒く写る。一般に、居住空間に存在する、木、布、金属、紙等は、表面が粗く、近赤外線はその表面で拡散反射する。拡散反射により撮像部１１０の方向に反射した近赤外線を撮像することで、反射する物体が反射した方向に存在することを検出することができる。このため、近赤外線光源１２０を照射することにより、一般に室内に多く存在する家具の材質を網羅することが可能となり、高い検出精度を得ることが可能となる。
【００６２】
なお、近赤外線光源１２０による約８５０ｎｍ付近にピークを持つ近赤外線は、可視光も含むため、近赤外線光源１２０を点灯しているときは、赤く点灯して見える。このため、点灯中であるか否かを表示する表示部が不要となり、コストを低減することが可能となる。
【００６３】
図１１は、障害物検出部の物体の有無の判定処理を示す説明図である。障害物検出部６５は、撮像制御部６１で撮影した画像をマトリクスに分割し、分割した各領域をセルとして管理している。例えば、マトリクス１１０１は、空気調和機Ａの室内機１００側からみた画像のマトリクスであり、縦５セル×横１０セルとして説明する。各セルの位置は、左右風向および上下風向を制御する場合の位置に対応する。
【００６４】
障害物検出部６５は、画像の輝度値からそこに物体が存在するか否かを判別する。各セル内の数値は、各セル内に占める物体の占有面積の割合を、１〜５で示している。具体的には、０〜２０％未満の占有面積の場合は「１」であり、２０〜４０％未満の占有面積の場合は「２」である。
【００６５】
障害物検出部６５は、室内に常時設置されている家具等の物体であるか否か、たまたま一時的に置かれている物体であるか判別するため、複数回の検出を実施する。具体的には、１時間に１回撮影し、所定回数（例えば、１０回）の検出結果のうち、多数決で物体の形状を特定する。例えば、１０回のうち６回の検出結果で物体であると判別された場合は、常時設置されている物体と認識しその形状を特定する。
【００６６】
図１１に示す例においては、マトリクス１１０１、…、マトリクス１１１０の１０回の検出結果に基づき、多数決結果であるマトリクス１１２０が示されている。この場合、左から２列目から４列目に物体が検出されており、同様に、右から２列目および３列目に物体が検出されている。
【００６７】
図１２は、通り抜け可否検出部の物体の重心を用いた判定処理を示す説明図であり、（ａ）は、物体の重心位置の例であり、（ｂ）は物体の重心を用いた判定例を示す図である。図１２（ａ）中には、物体の重心位置が示されており、通り抜け可否検出部６６は、物体の底辺からの物体の高さＨと重心位置の高さＬとに基づき、物体の足元が、気流が通り抜けられるか形状であるか否かを判定する。
【００６８】
具体的には、通り抜け可否検出部６６は、物体の重心位置の高さＬの物体の高さＨに対する割合が、所定値（例えば、７０％）以上である場合に脚長家具と判定し、気流が通り抜けできると推定する。また、通り抜け可否検出部６６は、物体の重心位置の高さＬの物体の高さＨに対する割合が、所定値未満である場合に脚短家具と判定し、気流が通り抜けできないと推定する。すなわち、物体の重心位置の高さＬと物体の高さＨを比較し、物体の重心位置の高さＬが物体の高さＨに対して所定の比率以上である場合に、気流（風）が通り抜けできる形状であると判断する。
【００６９】
図１２（ｂ）には、図１１で検出されたセル（占有面積の記号が２から５）に対して、判定結果が、通り抜け可能である場合「１」、通り抜け不可の場合「２」として記載されている。マトリクス１２０１、…、マトリクス１２１０の１０回の判定結果に基づき、多数決の結果であるマトリクス１２２０が示されている。この場合、左から２列目から４列目に検出された物体に対し、通り抜け不可として判定されている。一方、右から２列目および３列目に検出された物体に対し、通り抜け可能として判定されている。
【００７０】
図１３は、通り抜け可否検出部の物体の積算面積を用いた判定処理を示す説明図であり、（ａ）は下端からの高さと積算面積の関係を示す図であり、（ｂ）は物体の積算面積を用いた判定例を示す図である。図１３（ａ）の左側の物体の場合、下端からの高さと積算面積とがほぼ線形の関係があるのに対し、図１３（ｂ）の右側の物体の場合、下端からの高さと積算面積とが線形の関係にないのが特徴である。
【００７１】
具体的には、物体の下端から物体の面積を積算していき、積算した面積が物体の全面積の例えば３０％（＝所定値）に達するような高さをＭとする。高さＭの物体の高さＨに対する割合が、所定値（例えば、５０％）以上である場合、通り抜け可否検出部６６は、脚長家具であると判定し、気流が通り抜けることができると推定する。また、通り抜け可否検出部６６は、物体の全面積に対する積算面積が所定値における、物体の下端からの高さＭの物体の高さＨに対する割合が、所定値未満である場合、脚短家具と判定し、気流が通り抜けできないと推定する。
【００７２】
図１３（ｂ）には、図１１で検出されたセル（占有面積の記号が２から５）に対して、判定結果が、通り抜け可能である場合「１」、通り抜け不可の場合「２」として記載されている。マトリクス１３０１、…、マトリクス１３１０の１０回の判定結果に基づき、多数決の結果であるマトリクス１３２０が示されている。この場合、左から２列目から４列目に検出された物体に対し、通り抜け不可として判定されている。一方、右から２列目および３列目に検出された物体に対し、通り抜け可能として判定されている。
【００７３】
図１４は、各種家具の下端からの高さによる積算面積の割合を示す説明図である。横軸は下端から上端までの距離の割合を示し、縦軸は下端からの積算面積の全面積に対する割合を示す。図１４に示す結果から、（１）、（３）、（５）の家具の場合、下端から上端までの距離の割合と、積算面積との割合は単調に比例していることがわかる。これに対し、（２）、（４）、（６）の家具は、下に凸の放物線状の関係がある。
【００７４】
（１）の家具は、脚短家具であり、同様に（５）の家具も脚短の家具（ソファ）である。（３）の家具（チェア）は、足元に車輪部分の領域があり、気流の流れを阻害することがわかる。図１４の結果によれば、積算面線の割合が３０％であって、下端から上端までの距離の割合が５０％以上であるか否かで、足元に気流が通り抜ける形状であるか否かを判別できることがわかる。この結果は、図１３の判定で示したものと同様である。
【００７５】
図１６は、足検出の全体処理を示すフローチャートである。図１６を参照して、図９の処理Ｓ９１および処理Ｓ９２の詳細な処理について説明する。近赤外線光源１２０（図１参照）を点灯し、近赤外線を照射する（近赤外線照射ＯＮ）（処理Ｓ９２１）。撮像制御部６１は、室内の撮像（撮影）をし（処理Ｓ９２２）、近赤外線光源１２０を消灯し、近赤外線の照射を停止する（近赤外線照射ＯＦＦ）（処理Ｓ９２３）。
【００７６】
人検出部６２は、室内の人を検出し（処理Ｓ９２４）、人の移動量を算出する（処理Ｓ９２５）。人検出部６２の子処理部である移動量算出部は、人検出部６２によって検出される人体の位置及び大きさ、または、検出される顔の位置及び大きさの経時的変化に基づいて、ラベリング値で対応付けられる室内の人の移動量を算出する。そして、移動量算出部は、算出した移動量をラベリング値と対応付けて、人検出部６２の子処理部である活動量算出部に出力する。活動量算出部は、移動量算出部によって算出される移動量に基づいて人の活動量を算出する。なお、「移動量」とは、実世界の空間内において室内の人が所定時間内に移動したと推定される距離を意味している。また、「活動量」とは、人体の単位表面積あたりの代謝量[Ｗ／ｍ２]を意味し、移動量と正の相関がある。移動量算出部、活動量算出部は、特開２０１３−２５３７１７号公報に詳細に記載されている。
【００７７】
人検出部６２は、検出した人の移動量が所定値以上であるか否か、動きがあるか否かを判定する（処理Ｓ９２６）。検出した人の移動量が所定値以上である場合（処理Ｓ９２６，大）、足検出部６３は差分方式により足領域を推定する（処理Ｓ９２７、図１７（ａ）参照）。一方、検出した人の移動量が所定値未満である場合（処理Ｓ９２６，小）、足検出部６３は領域分割方式により足領域を推定する（処理Ｓ９２８、図１７（ｂ）参照）。また、動きがない場合（処理Ｓ９２６，無）、人検出部６２は、ｎ回動きがないか判定し（処理Ｓ９２９）、ｎ回動きがない場合（処理Ｓ９２９、Ｙｅｓ）、検出した人は人物でない、例えばポスターであると判定する（処理Ｓ９３０、ポスター判定）。ｎ回に満たない場合（処理Ｓ９２９、Ｎｏ）、処理Ｓ９２１に戻る。なお、処理Ｓ９３０についての詳細は後記する。
【００７８】
図１７は、足検出の差分方式および領域分割方式を示すフローチャートであり、（ａ）は差分方式、（ｂ）は領域分割方式である。図１８は、足検出の差分方式および領域分割方式を示す説明図である。
【００７９】
図１７（ａ）に示す差分方式の場合、足検出部６３は、今回撮像した撮像画像と前回撮像した撮像画像との差分を検出して差分画像を作成し（処理Ｓ７０１）、差分画像の差分領域のうち、人の検出した領域を含む差分領域を検出して人の領域と判断する（処理Ｓ７０２）。そして、足検出部６３は、人の領域から足の領域を推定する（処理Ｓ７０３）。
【００８０】
図１８（ａ）の例においては、前回撮像した画像が画像８０１であり、今回撮像した撮像画像が画像８０２である。画像８０１と画像８０２との差分が画像８０３であり、人の輪郭が検出されている。
【００８１】
図１７（ｂ）に示す領域分割方式の場合、足検出部６３は、今回撮像した撮像画像を色調、濃淡等で領域を分割し（処理Ｓ７１１）、分割した領域から人を検出した領域を抽出し（処理Ｓ７１２）、人の領域から足の領域を推定する（処理Ｓ７１３）。
【００８２】
図１８（ｂ）の例においては、今回撮像した撮像画像が８１１であり、その中の顔は、領域８１０として認識される。足検出部６３は、画像８１２に示すように、認識した顔から体の輪郭をなぞって塊として検出する（領域を分割する）。画像８１３には、分割した領域から人の輪郭が検出されている。
【００８３】
差分方式あるいは領域分割方式で検出した画像内の人の領域のうち、以下の項目のうち少なくとも一つを満たす部分を足と判断する。
（１）領域内の最下端部
（２）領域内で、頭部や顔を検出した部分から所定距離以上離れた部分
（３）領域内で、頭部や顔を検出した部分から所定面積以上離れた部分
（４）領域内で、頭部や顔を検出した位置から推定した足のある所定の範囲内にある部分のうちの最下端部
【００８４】
なお、所定距離、所定面積等は、検出した人の距離や人を検出した頻度、人の移動量または位置等に基づいて変更されてもよい。また、過去に人または足を高い所定の頻度以上で検出した場合は、足と判断する閾値を低く設定し、過去に人または足を所定値より低い頻度で検出した場合は、足と判断する閾値を高く設定してもよい。また、これらの項目のうち、ひとつだけ満たした場合に足を検出してもよく、複数の項目を満たした場合に足を検出してもよい。足を検出するために満たす必要のある項目が増えるほど検出の精度は高くなる。
【００８５】
＜ポスター判定＞
人検出部６２は、撮像部１１０により得られた画像から人を検出するため、ポスターに写っている人や人形の置物等を人と誤検出する可能性がある。一方、ポスターや置物等は、人ではないため、それらの位置や数に基づき空調することは、過剰な冷房や在室者以外の誤検出した物への送風等、実際に在室する人の快適性を低下させる制御の原因となる。
【００８６】
人検出部６２は、検出した人の移動量に基づいてポスターや置物等、実際の人ではない物を、人ではない物として検出する。すなわち、検出した人の移動量が所定値以下となることが所定の回数に達した場合、人ではないポスターや置物を人と検出していると判断し、制御の対象から除外する。または、人検出部６２は、前回撮像した画像と今回撮像した画像のうち、人を検出した領域の変化領域の面積の程度から人ではないものを人と検知したことを検出してもよい。
【００８７】
ポスターや置物と判断する閾値は、ポスターや置物と判断された回数が増えるほど、より人ではないと判断しやすい側へ変更されてもよい。すなわち、頻繁にポスターと検出されるものに対しては、短時間でポスターと判断してもよい。一方、人と判断される閾値に達する場合と達しない場合とが混在する検出結果となる人に対しては、ポスターであると判断する閾値を、ポスターであると判断されにくい方向へ変更してもよい。
【００８８】
＜気流制御部＞
図１９は、気流制御部の気流モード選択処理を示すフローチャートである。図１９を参照して、気流制御部６８が、人検出部６２、足検出部６３、壁検出部６４、障害物検出部６５、通り抜け可否検出部６６の処理結果に基づいて暖房時の気流モードの選択方法について説明する。気流制御部６８は、足検出部６３が足を検出したか否かを判定し（処理Ｓ１９１）、足を検出した場合（処理Ｓ１９１，Ｙｅｓ）、足元に気流を風向する足元モードを選択する（処理Ｓ１９９）。一方、足が検出できない場合（処理Ｓ１９１，Ｎｏ）、気流制御部６８は、人検出部６２が人を検出したか否かを判定し（処理Ｓ１９２）、人を検出した場合（処理Ｓ１９２，Ｙｅｓ）、障害物検出部６５が人の手前に障害物があるか否かを判定する（処理Ｓ１９３）。
【００８９】
人の手前に障害物がある場合（処理Ｓ１９３，Ｙｅｓ）、気流制御部６８は、通り抜け可否検出部６６が気流の通り抜けできるか否かを判定する（処理Ｓ１９４）。気流の通り抜け可能である場合（処理Ｓ１９４，Ｙｅｓ）、気流制御部６８は、障害物の下方に気流を風向する下気流モードを選択する（処理Ｓ１９５）。一方、気流の通り抜け可能でない場合（処理Ｓ１９４，Ｎｏ）、気流制御部６８は、障害物の上端に気流を風向する上端気流モードを選択する（処理Ｓ１９６）。
【００９０】
処理Ｓ１９３において、人の手前に障害物がない場合（処理Ｓ１９３，Ｎｏ）、気流制御部６８は、人に対し風当てする風当てモードを選択する（処理Ｓ１９７）。処理Ｓ１９７は、人は検出できているが、足を検出できていないので、足元モードが選択できない場合である。
【００９１】
処理Ｓ１９２において、人を検出しない場合（処理Ｓ１９２，Ｎｏ）、室内の間取りに合わせて風向する間取りモードを選択する（処理Ｓ１９８）。例えば、間取りモードは、壁検出部６４が検出したコーナ３７３（３７３ａ、３７３ｂ）に対しスイングして風向するモードとなる。
【００９２】
本実施形態によれば、気流制御部６８は、足検出部６３が人の足元を検出できない場合（処理Ｓ１９１，Ｎｏ）、障害物の有無および障害物が気流を通り抜ける形状であるか否かに基づいて、送風する気流方向を変更することができる（処理Ｓ１９５，Ｓ１９６，Ｓ１９７）。
【００９３】
また、気流制御部６８は、人の足元が検出できない場合（例えば、人の足元が障害物検出部６５で検出された障害物で隠れている場合）、かつ、障害物の下側を気流が通り抜けできない場合、障害物の上端に気流を送風することができる（処理Ｓ１９６）。
【００９４】
また、気流制御部６８は、人の足元が検出できない場合、かつ、障害物の下側を気流が通り抜けできる場合、障害物の下方に気流を送風することができる（処理Ｓ１９５）。
【００９５】
図２０は、気流制御部の左右風向と上下風向の連動処理を示すタイムチャートである。気流制御部６８は、図１９で選択した気流モードにおいて、左右風向板１０４と上下風向板１０５のうちいずれか一方の風向板が、揺動（スイング制御）の範囲内の片道を揺動する間に室内の所定位置の方向に到達した場合、他方の風向板を前記所定位置の方向へ変更する制御をすることができる。これにより、室内の複数の所定位置に対し、適切に風向を送風することができる。例えば、図２０において、複数の所定位置が位置Ｐ１，Ｐ２，Ｐ３とすると、気流制御部６８は、上下風向板１０５を位置Ｐ１に対応する上下風向の角度に制御し、位置Ｐ１に到達後、左右風向板１０４を位置Ｐ１に対応する左右風向の角度に制御する。気流制御部６８は、左右風向板１０４が位置Ｐ１に到達後、上下風向板１０５を位置Ｐ２に対応する上下風向の角度に制御する。気流制御部６８は、上下風向板１０５が位置Ｐ２に到達後、左右風向板１０４を位置Ｐ２に対応する左右風向の角度に制御する。これを繰り返すことにより、複数の所定位置に対し、集中的に風向を制御することができる。
【００９６】
図２０においては、左右風向板１０４または上下風向板１０５が所定位置に到達してから、他方の風向板の制御を開始しているが、これに限定されるわけではない。例えば、左右風向板１０４と上下風向板１０５のうちいずれか一方の風向板が、揺動の範囲内の片道を揺動する間に室内の所定位置の方向に近づいた場合、他方の風向板を前記所定位置の方向へ変更してもよい。
【００９７】
以下、具体的な実施例を次に示す。
＜第１の実施例＞
図２１は、第１の実施例に係る室内に複数の人を検出した場合の気流モードの選択例を示す説明図である。図２２は、左右風向と上下風向の連動を示すタイムチャートである。図２１、図２２を参照して、室内に複数の人を検出した場合のスイングの風向について説明する。図２１には、図１１と同様に、撮像制御部６１で撮影した画像をマトリクスに分割し、各分割した領域をセルとして示している。マトリクス２０００は、空気調和機Ａの室内機１００側からみた画像のマトリクスであり、縦５セル×横１０セルとして説明する。各セルの位置は、左右風向および上下風向を制御する場合の位置に対応する。
【００９８】
左右風向の設定位置は、マトリクス２０００の右側から左側へ、領域１，２，３，…，１０とする。また、上下風向の設定位置は、マトリクス２０００の下側から上側へ、領域１，２，３，４，５とする。よって、マトリクス２０００の右下端はセル位置（１，１）とし、左上端はセル位置（１０，５）として説明する。
【００９９】
マトリクス２０００には、人Ｍ１，Ｍ２，Ｍ３の３名の人が検出されており、人Ｍ１の前には障害物Ｆ１である家具があり、人Ｍ３の前には障害物Ｆ３の家具がある。人Ｍ１の足元は検出されておらず、障害物Ｆ１は、気流が通り抜けできないと判定されている。この際、暖房運転する際に、風向を制御することを検討する。デフォルトの上下風向の風向位置は、室内機１００に近い位置（セル位置（＊，１）として説明する。なお、＊は、左右風向の領域１〜１０に対応する。
【０１００】
本実施形態では、図２０において前記したように、気流制御部６８は、左右風向と上下風向とを連動して制御する方式を採用している。すなわち、上下風向が所定位置に到達後、左右風向が所定位置へ移動する。また、左右風向が所定位置に到達後、上下風向が所定位置へ移動する方式を採用した。なお、所定位置が変化しない場合、となりのセルへの移動時間経過後に、移動を開始するものとなる。
【０１０１】
具体的には、人Ｍ１の場合、図１９の処理において、足が検出されず、人が検出され、障害物があり、通り抜け不可の場合であり、気流制御部６８は障害物の上端気流モードを選択する。その場合の風向位置としてセル位置（９，４）が所定位置となる。
【０１０２】
人Ｍ２の場合、図１９の処理において、足が検出されているので、気流制御部６８は、足元モードを選択する。その場合の風向位置としてセル位置（６，２）となる。同様に、人Ｍ３の場合、足が検出されているので、気流制御部６８は、足元モードを選択する。その場合の風向位置としてセル位置（３，２）となる。
【０１０３】
図２２は、左右風向と上下風向のタイムチャートであり、マトリクス２０００の左端側から右端にスイングし、折り返して右端から左端へスイングする際の風向位置を示している。当初、セル位置（１０、１）にあり、時間の経過とともに、セル位置（１０，４），（９，４），（９、１），（８，１），（７，１），（７，２），・・・・と順次、風向が制御される。
【０１０４】
本実施例の空気調和機Ａは、左右方向に気流を変更する左右風向板１０４と上下方向に気流を偏向する上下風向板１０５とを有し、左右風向板１０４と上下風向板１０５とのうちどちらか一方が所定の移動範囲内を移動し、片道の所定の位置に到達したら、他方の位置が変化する。左右風向板１０４と上下風向板１０５とは、例えば、左右方向に１０分割され、上下方向に５分割されたマトリクス２０００に従い制御される。具体的には、左右方向の１０分割は左右風向板１０４の向く向きを意味し、上下方向の５分割は上下風向板１０５の向く向きを意味する。左右方向の１０分割の方向の全ての方向に一つずつ上下方向が選択され、左右風向板が１０分割の方向のうち一つの方向を向いているときには、その方向にある上下方向の選択された方向に上下風向板１０５が向く。
【０１０５】
左右方向の１０分割の全てを選択する必要はなく、左右方向の全幅よりも狭い範囲をスイングの範囲としてもよい。上下方向についても左右方向と同じく、上下方向の全幅よりも狭い範囲をスイング範囲としてもよい。
【０１０６】
左右方向のスイング範囲は全幅で１５０°であり、１０分割することにより各分割方向の角度は１５°となる。一方、上下方向のスイング範囲は５０°であり、１０分割することにより各分割方向の角度は１０°となる。
【０１０７】
リモコン４０で左右風向板１０４のスイングを選択すると、左右風向板１０４はスイング範囲の全幅の１０分割の各方向を一つずつ連続して移動する。上下風向板１０５についても同様で、上下風向板１０５はスイング範囲の全幅の５分割の各方向を一つずつ連続して移動する。この時、左右風向板１０４と上下風向板１０５とを、互いの位置を関連させた移動を行う。例えば、スイング制御する際に、セル位置（１０，１），（９，２），（８，３），（７、４），（６，５），（５，５），（４，４），（３，３），（２，２），（１，１）の経路を通る。このような動きとすることで、室内を上下方向にも左右方向にも温度ムラのない環境とすることが可能となる。
【０１０８】
左右風向板１０４の各方向における上下風向板１０５の向き、あるいは上下風向板１０５の各方向における左右風向板１０４の向き、および左右風向板１０４および/または上下風向板１０５のスイング範囲は、リモコン４０のスイング機能によりあらかじめ決められていてもよい。
【０１０９】
一方、左右風向板１０４の各方向における上下風向板１０５の向き、あるいは上下風向板１０５の各方向における左右風向板１０４の向き、および左右風向板１０４および/または上下風向板１０５のスイング範囲は、センサ部５０や記憶部６９など空気調和機Ａの構成要素からの出力により変化してもよい。すなわち、センサ部５０等の空気調和機の構成要素からの出力により、風向のマトリクス２０００内で左右風向板１０４および上下風向板１０５が移動する範囲を変化してもよい。
【０１１０】
本実施形態では、人と室内機１００との間に障害物である家具がある場合、人検出部６２で人を検出できても足検出部６３で足を検出できない場合がある。すなわち、人検出部６２で人がいることを検出しても、体の下半分がテーブルに隠れていたり、こたつに入っていたり、ソファに座っている人体を背面から検出している状態だったりすることで、図１７で説明した差分方式または領域分割方式で足を検出できない場合がある。その場合、以下の制御とすることで、在室者の快適性を高めることが可能となる。
【０１１１】
すなわち、足がテーブル等で隠れている場合でテーブルの下を風が通り抜けできない場合、テーブルの上の領域のうち、最も下側の領域に送風する。すなわち、人と室内機１００との間に障害物である家具があり人の足を検出できない範囲内において、人の前後方向の位置に関わらず、送風の方向はテーブルを上側でよけられる風向のうちで最も下側となる。一方、家具の下を風が通り抜けられる場合で、人の足が家具で隠れて検出できない場合、家具の下側を通して送風する風向となり、人の足が家具で隠れて検出できない範囲内においてその方向は一定となる。これにより、足を検出できない場合でも、暖気を在室者の足に供給し快適性を向上させることや、暖気が顔にあたり不快に感じることを避けることが可能となる。
【０１１２】
気流制御部６８は、足検出部６３の出力に応じて空気調和機を制御する。すなわち、暖房運転時には足検出部６３で検出した足に向けて、足を直接温めることが可能となる。また、足に向けて送風することで足付近の床も温められ、そこに足が触れる在室者の快適性を高めることが可能となる。また、足検出部６３で検出した足の手前側に暖気を供給することで、温かい気流を体に直接当てることなく、足の手前側の床にぶつかり速度の落ちた温かい空気を、気流感を低減して在室者に供給することが可能となり、在室者の快適性を高めることが可能となる。
【０１１３】
足検出部６３で検出した足の位置に基づき、上下風向板１０５および/または左右風向板１０４を制御することで、前記のような在室者の快適性を高めることが可能となる。また、足検出部６３で検出した足の位置に基づき風速を変えることで在室者の快適性をより高めることが可能となる。すなわち、足の位置が遠ければ送風ファンの回転数を上げ、風速を上げることで、気流を足に確実に届けることが可能となる。また、足の位置が室内機１００の正面ではなく右側あるいは左側に偏った位置にある場合、左右風向板１０４による気流の偏向により風速が低下するため、送風ファンの回転数を上げ、風速を上げることで、気流を足に確実に届けることが可能となる。
【０１１４】
また、温度検知部１３０（図１参照）が足の温度あるいは足の周囲の温度を検出することで、足が触れる環境が足からの放熱を促進し、足を冷やす環境であるか、足が触れる環境から足への放熱が促進され足を温める環境であるのかを判断することが可能となる。すなわち、足が冷える環境であれば、風向を足に向け、風速を上げ、足に気流を供給する風向時間を長くし、設定温度を高くすることで、足付近の温熱環境を、足を温める環境へ変えることが可能となり、在室者の快適性を向上させることが可能となる。
【０１１５】
本実施形態では、人検出部６２で人を検出したものの足検出部６３で足を検出できない場合、人の位置から足の位置を推定し、推定した足の位置に基づき風向、風速、風向時間、吹き出し空気温度を制御してもよい。
【０１１６】
また、障害物検出部６５で検出した障害物の家具が、足元を気流が通り抜けられる家具であり、人（在室者）と室内機１００の間にその家具がある場合、在室者の足を足検出部６３が検出できない場合でも家具の下に送風し、在室者の足に暖気を供給することが可能となり、在室者の快適性を向上させることが可能となる。
【０１１７】
また、障害物検出部６５で検出した障害物である家具が、人（在室者）と室内機１００の間にある場合でも、在室者の足を検出できている場合（例えば、図２１の人Ｍ３の場合）、検出した家具は障害物とはならず、在室者の足に暖気を直接送風することが可能となる。また、室内機１００と在室者の間に家具がある場合でも、家具と在室者の間に所定の距離がある場合、在室者の足の手前側に暖気を送風することで、家具を障害物とすることなく、床にぶつかって速度の落ちた温かい空気を在室者に供給することが可能となり、在室者の快適性を向上させることが可能となる。
【０１１８】
また、室内に複数の足や複数の在室者を検出した場合、左右風向板１０４は足や人を検出した間あるいはその一つ外側の領域の間をスイング運転する。上下風向板１０５は最も手前の人の足元を基準にして送風するとよい。
【０１１９】
本実施形態において、風向、風速、風向時間、吹き出し空気温度は以下を意味する。適宜図１〜図３を参照する。
＜風向＞
風向とは、上下風向板１０５および/または左右風向板１０４により制御される、室内機１００から吹き出される空気の方向である。一方向のみで固定されるだけでなく、連続してスイング運転する制御、所定のタイミングで一時停止するスイング制御、所定のタイミングのみスイング運転するスイング制御、所定のタイミングでスイング範囲を更新するスイング制御、人の位置や足の位置のセンサ出力により変更される制御、１/ｆの所定の周期でのゆらぎ制御等、上下風向板１０５および/または左右風向板１０４で実施することのできる風向を指す。
【０１２０】
＜風速＞
風速とは、送風ファン１０３の回転数、上下風向板１０５および/または左右風向板１０４の開き具合や向きにより制御される、室内機１００から吹き出される空気の速度を指す。一定の風速で固定されるだけでなく、１/ｆの所定の周期でのゆらぎ制御、所定のタイミングで更新される制御、人の位置・足の位置の出力により変更される制御等、送風ファン１０３の回転数、上下風向板１０５および/または左右風向板１０４の開き具合や向きにより制御される、室内機１００から吹き出される空気の速度を指す。
【０１２１】
＜風向時間＞
風向時間とは、上下風向板１０５および/または左右風向板１０４のスイング中の所定の方向での一時停止時間を指す。一定の時間だけ一時停止するだけでなく、上下風向板１０５および/または左右風向板１０４の位置に基づく停止時間、人の位置・足の位置の出力により変更される停止時間等、上下風向板１０５および/または左右風向板１０４のスイング中の所定の方向での一時停止時間を指す。
【０１２２】
＜吹き出し空気温度＞
吹出し空気温度とは、設定温度、熱交換器２０６の温度、圧縮機２０２の回転数、送風ファン１０３の回転数、上下風向板１０５および/または左右風向板１０４の開き具合や向きにより制御される、室内機１００から吹き出される空気の温度を指す。サーモオンやサーモオフによる吹き出し空気温度の変化や熱負荷の変動等による吸い込み温度の変化に伴う吹き出し温度の変化だけでなく、設定温度、熱交換器２０６の温度、圧縮機２０２の回転数、送風ファン１０３の回転数、上下風向板１０５および/または左右風向板１０４の開き具合や向きにより制御される、積極的な温度変化を含む、室内機１００から吹き出される空気の温度を指す。
【０１２３】
＜足の状況＞
足の状況とは、足の検出の有無、足の位置、室内機から足までの距離、壁から足までの距離、足付近の温度等、足を基準に空気調和を行う際に、空気調和機で制御できる風向、風速、風向時間、吹き出し空気温度により影響を与えることのできる要素を指す。足付近とは、足の周囲を指し、足を含んでもよいが、理想は足を含まない足近傍の領域を指す。足付近の温度とは、足近傍の物体の表面温度を指し、足の温度を含んでもよいが、理想は足を含まない床や壁、家具等の物体の表面温度を指す。
【０１２４】
＜足元モニター（足ランプ）＞
室内機１００には、人（在室者）から視認できる部分に、足元モニター１４０（図１参照）を備える。足元モニター１４０はＬＥＤであり、以下の場合に点灯や点滅するとよい。
（１）足を検出中は点滅
（２）足を検出した時は点灯
（３）足を検出していないときは消灯
（４）人を検出したが足を検出していないときは減光して点灯
（５）足に気流を届けられるときは点灯
（６）足に気流を届けられないときは減光して点灯
（７）足元モニターにより足検出の状況を把握できることで、在室者は空気調和機Ａが何をしているのかを把握することが可能となり、安心して空気調和機Ａを使用することが可能となる。なお、足元モニター１４０の点灯、点滅方法は上記に限らない。
【０１２５】
＜第２の実施例＞
図２３は、第２の実施例に係る間取りモードの風向を示す説明図である。図２４は、間取りモードでの風向位置の選択処理を示すフローチャートである。図２５は、室内の間取りと風向のセル位置との関係を示す説明図である。図２６は、間取りモードでの左右風向と上下風向の連動を示すタイムチャートである。図２３には、図１１、図２１と同様に、撮像制御部６１で撮影した画像をマトリクスに分割し、各分割した領域をセルとして示している。マトリクス２０１０は、空気調和機Ａの室内機１００側からみた画像のマトリクスである。左右風向の設定位置は、マトリクス２０１０の右側から左側へ、領域１，２，３，…，１０とする。また、上下風向の設定位置は、マトリクス２０１０の下側から上側へ、領域１，２，３，４，５とする。よって、マトリクス２０１０の右下端はセル位置（１，１）とし、左上端はセル位置（１０，５）として説明する。
【０１２６】
間取りモードでは、検出したコーナ３７３ａ，３７３ｂ（図３６参照）でスイング制御するのが基本的な制御である。しかし、室内の間取りを考慮して、室内機１００からみて遠方のコーナ３７３ａ側には、コーナ３７３ａから２つ外の領域まで風向を制御すると、室内の温度の均一化を図ることができる。そのため、スイング範囲をセル位置（１０，＊）〜（４，＊）とするとよい。なお、＊は、上下風向の領域１〜５に対応する。
【０１２７】
次に、図２４、図２５を参照して、上下風向の位置について説明する。
図２４において、気流制御部６８は、間取りモードを選択すると（処理Ｓ２４１）、スイング制御の左右方向の各セル位置に対し、処理Ｓ２４３〜Ｓ２４８を繰り返す（処理Ｓ２４２）。具体的には、気流制御部６８は、セル位置（１０，＊）に対し、壁までの距離を判定し（処理Ｓ２４３）、第１の距離（例えば、４ｍ）以上か否かを判定する（処理Ｓ２４３）。第１の距離以上の場合（処理Ｓ２４４，Ｙｅｓ）、処理２４５に進み、第１の距離以上でない場合（処理Ｓ２４４，Ｎｏ）、初期（イニシャル）設定とする（処理Ｓ２４８）。イニシャル設定とは、例えば、図２３に示すイニシャル位置に設定する。
【０１２８】
処理Ｓ２４５において、気流制御部６８は、第２の距離（例えば、６ｍ）以上か否かを判定する。第２の距離以上の場合（処理Ｓ２４５，Ｙｅｓ）、気流制御部６８は、イニシャル位置に対し、上方向にプラス２（＋２）の位置に設定する（処理Ｓ２４６）。一方、第２の距離以上でない場合（処理Ｓ２４５，Ｎｏ）、気流制御部６８は、イニシャル位置に対し、上方向にプラス１（＋１）の位置に設定する（処理Ｓ２４７）。
【０１２９】
図２５において、室内は、壁検出部６４（図８参照）で検出された壁３３４，３３５，３３６で構成されている。壁３３１は、室内機１００が設置されている壁であり、壁３３５，３３６は壁３３１の側壁であり、壁３３４は、壁３３１の対向面である壁である。図２５には、図２３に示す風向のセル位置（１０，１），（９，２），（８，３），（７，３），（６，３），（５，３），（４，３）に対応する位置の関係を示している。
【０１３０】
図２６は、間取りモードでの左右風向と上下風向の連動を示すタイムチャートである。図２６は、図２３に示すマトリクス２０１０のセル位置（１０，１）からセル位置（４，３）にスイングし、折り返してセル位置（１０，１）からセル位置（１０，１）へスイングする際の風向位置を示している。当初、セル位置（１０、１）にあり、時間の経過とともに、セル位置（９，２），（８，３），（７，３），（６，３），（５，３），（４，３）と順次、風向が制御され、折り返して風向が制御される。
【０１３１】
＜第３の実施例＞
図２７は、第３の実施例に係る他の風向位置を示す説明図である。図２８は、上下風向が３区分の場合の空気調和機の外観構成を示す説明図である。図２９は、上下風向が３区分の場合の風向のセル位置を示す説明図である。図２７〜図２９において、上下風向板１０５が３区分されており、３方向に風向制御できる例について説明する。
【０１３２】
図２７を用いて、図２１と同様に、室内に複数の人を検出した場合のスイングの風向について説明する。図２７には、撮像制御部６１で撮影した画像をマトリクスに分割し、各分割した領域をセルとして示している。マトリクス２０２０は、空気調和機Ａの室内機１００側からみた画像のマトリクスであり、縦５セル×横１０セルとして説明する。セル位置は図２１と同様である。
【０１３３】
マトリクス２０２０には、人Ｍ１１，Ｍ１２，Ｍ１３，Ｍ１４，Ｍ１５の５名の人が検出されており、人Ｍ１１，Ｍ１２，Ｍ１３，Ｍ１４の背後に障害物Ｆ４であるソファ（家具）があり、人Ｍ１５の前には障害物Ｆ３の家具がある。各人の足は検出されている。この際、暖房運転する際に、風向を制御することを検討する。各セルの位置は、左右風向および上下風向を制御する場合の位置に対応するが、上下風向が、図２８に示すように区分１０５ａ，１０５ｂ，１０５ｃに分割されている場合には、各区分の制御位置を図２９に示すように制御する。
【０１３４】
図２９は、上下風向が３区分の場合の風向セルの位置を示す説明図であり、（ａ）は左右風向および上下風向の風向位置であり、（ｂ）は図２７に示す風向位置の検出結果である。上下風向が３区分の場合の風向セルの位置を示すマトリクス２０３０において、左右風向の設定位置は右側から左側へ、領域１，２，３，…，１０であり、マトリクス２０２０Ａと同様である。マトリクス２０３０において、上下風向の設定位置は、下側から上側へ、領域１，２，３，４，５であり、マトリクス２０２０Ａと同様であるが、３区分されているので左右方向に領域ａ，ｂ，ｃと分かれている。領域ａ，ｂ，ｃは、図２８に示す区分１０５ａ、１０５ｂ，１０５ｃに対応する。マトリクス２０３０の場合のセル位置を（左右風向のセル位置、上下風向のセル位置＋３区分の種別）として表記すると、例えば、マトリクス２０３０の右下はセル位置（１，１ａ）となり、左上はセル位置（１０，５ｃ）となる。
【０１３５】
検出結果であるマトリクス２０２０Ａには、図２７に示す風向のセル位置として、人Ｍ１１に対応するセル位置を○、人Ｍ１２に対応するセル位置を▲、人Ｍ１３に対応する位置を□、人Ｍ１４に対応するセル位置を▼、人Ｍ１４に対応するセル位置を◎、人Ｍ１５に対応するセル位置を■として表記している。
【０１３６】
マトリクス２０３０には、前記表記のセル位置に対応するセル位置を示されている。具体的には、マトリクス２０２０Ａのセル位置（６，２）の場合、マトリクス２０３０においては、セル位置（７，２ａ），（６，２ｂ），（５，２ｃ）に対応する。また、マトリクス２０２０Ａのセル位置（４，１）の場合、マトリクス２０３０においては、セル位置（５，１ａ），（４，１ｂ），（３，１ｃ）に対応する。
【０１３７】
スイング範囲の両端は、上下方向が同じ位置とする。すなわち、左端ではセル位置（８，３ｃ）であり、隣のセル位置（８，３ｂ）と上下方向が同じである。また、右端ではセル位置（３，２ｃ）であり、隣のセル位置（３，２ｂ）と上下方向が同じである。
【０１３８】
マトリクス２０３０の場合、左右風向のスイング範囲は、領域３〜領域８であり、上下風向のスイング範囲は、領域１〜領域３である。例えば、左右風向の位置が領域６から領域５に到達すると、上下風向の区分１０５ｃは領域３から領域２に変更を開始する。同様に、上下風向の区分１０５ｂは領域２から領域３に変更を開始し、上下風向の区分１０５ａは領域３から領域１に変更を開始する。
【０１３９】
また、マトリクス２０３０の場合、揺動（スイング）の際、該揺動の先頭側の分割の区分（例えば、区分１０５ａ）は一つ先の前記左右風向板１０４の方向における上下風向板１０５の位置にあり、該揺動の最後尾側の分割の区分（例えば、区分１０５ｃ）は一つ後の左右風向板１０４の方向における上下風向板１０５の位置にある。これにより、左右風向板１０４が在室者のいる領域の一つ手前を向いているときにもスイングの先頭側の上下風向板１０５は在室者のいる領域を向いており、室内機１００から吹き出された空気が拡散していくときにも在室者に暖気を供給することが可能となり、在室者の快適性を向上させることが可能となる。
【０１４０】
このように、第３の実施例によれば、気流制御部６８は、図２９に示すように、３区分された上下風向の位置を適切に検出位置に制御することができる。
【０１４１】
＜上下風向板＞
第３の実施例の場合、例えば、図２に示した上下風向板１０５は、２枚のフラップ（上側フラップ、下側フラップ）で構成されているが、左右方向に３分割する（図２８参照）。このとき、上側フラップと、下側フラップの両方が３分割の複数に分割されてもよい。あるいは、上側フラップを３分割され、下側フラップは１枚で構成されていてもよい。上下風向板１０５の下側フラップが一枚で構成されることにより、簡易な構成で、省資源で、安価に上下風向板を構成することが可能となる。
【０１４２】
上下風向板１０５が複数枚（例えば２枚のフラップ）で構成されることにより、特に風向の偏向角度の大きな暖房運転時に偏向する性能を高くすることが可能となり、より多くの気流を狙いたい領域に供給することが可能となる。
【０１４３】
上側フラップが複数に分割された上下風向板１０５や、上側フラップと下側フラップの両方が複数枚に分割された上下風向板１０５により、空気吹き出し口１０９ｂから吹き出された空気が広がった先での遠近方向の床にぶつかる領域を調整することが可能となる。すなわち、室内機１００からの遠近距離の異なる複数の人のそれぞれに対しても、それぞれの足元に暖気を供給することが可能となり、複数の在室者の快適性を同時に高めることが可能となる。
【０１４４】
さらに、左右風向板１０４がスイング範囲内をスイングする際には、上側フラップと下側フラップの両方が左右方向に複数に分割された上下風向板１０５は、スイングの先に位置する側から順に狙いたい領域の方向に向きスイングしてゆく。
【０１４５】
また、スイングの先頭側の分割部分は一つ先の左右風向板１０４の方向における上下風向板１０５の位置にあり、スイングの最後尾側の分割部分は一つ後の左右風向板１０４の方向における上下風向板１０５の位置にある。これにより、左右風向板１０４が在室者のいる領域の一つ手前を向いているときにもスイングの先頭側の上下風向板１０５は在室者のいる領域を向いており、室内機１００から吹き出された空気が拡散していくときにも在室者に暖気を供給することが可能となり、在室者の快適性を向上させることが可能となる。
【０１４６】
また、スイングの最後尾側の上下風向板１０５が一つ手前の左右風向板１０４の方向における上下風向板１０５の向きとすることで、左右風向板１０４が通り過ぎた後でも室内機１００から吹き出された空気が拡散していくときにスイングの後ろ側の在室者にも暖気を供給することが可能となり、在室者の快適性を向上させることが可能となる。
【０１４７】
＜左右風向板＞
左右風向板１０４は左右方向に複数枚並んでおり、それらは全て連動して同じ方向を向いてもよく、複数に分割されそれぞれの分割ごとで連動して同じ方向を向いてもよい。左右風向板１０４が左右方向に複数にグルーピングされることで、グループ単位での方向制御が可能となり、左右方向に分割された上下風向板１０５と、それに対応する左右風向板１０４とを連動させることで室内の複数の領域に同時に暖気を供給することが可能となり、在室者に連続した快適性を提供することが可能となる。
【０１４８】
次に、人検出部６２、壁検出部６４（図８参照）の詳細について説明する。
＜人検出部＞
図３２は、人検出部の人位置判定処理を示すフローチャートである。図３３は、人検出部の人位置判定処理を示す説明図であり、（ａ）〜（ｃ）はそれぞれ具体的な計算について説明する説明図である。まず、人検出部６２（図８参照）は、図３１の撮像処理で取得した左画像、中画像、右画像から人の位置を検出する（処理Ｓ３１）。次に、人検出部６２は、この検出した人の位置に関し、画面上の座標系から実空間の座標系に変換する（処理Ｓ３２）。これにより、室内のどこに人が存在していたかを判定することができる。このようにして、人の実空間の座標を判定すると、人検出部６２は、当該座標の情報を記憶部６９に記憶する（処理Ｓ３３）。
【０１４９】
図３３は、図３２の室内の人位置判定処理について詳細に説明する説明図である。図３２の処理Ｓ３２においては、具体的には以下の処理により室内の人の実空間の座標を判定する。まず、人の体の部位のうち、頭部の大きさは、身長、性別に比較的依存しない。そこで、処理Ｓ３１で検出した人ごとに当該人の顔中心の位置を算出するとともに、その頭部の大きさ（縦方向の長さ）Ｄ０を算出する。
【０１５０】
図３３（ａ）は、撮像部１１０の光軸Ｐと垂直面Ｓとの関係を示す説明図である。図３３（ａ）に示すように、撮像部１１０の光軸Ｐは、水平面に対して俯角εを有している。垂直面Ｓは、光軸Ｐに垂直であるとともに、人３９１の顔中心を通る仮想平面である。距離Ｌは、撮像部１１０が有するレンズ（図示せず）の焦点１３１ａと、人３９１の顔中心との距離である。また、室内機１００が設置される壁３３１とレンズの焦点１３１ａとの距離はΔｄである。
【０１５１】
図３３（ｂ）は、画像面に撮像される画像と、実空間に存在する人３９１との関係を示す説明図である。図３３（ｂ）に示す画像面Ｒは、撮像部１１０が有する複数の受光素子（図示せず）を通る平面である。算出した前記の頭部の大きさＤ０に対応する縦方向の画角γｙは、以下に示す式（１）で表される。ちなみに、式（１）で角度βｙ[deg/pixel]は、１ピクセル当たりの画角（ｙ方向）の平均値であり、既知の値である。
【数１】
0006368571.tif 000002
【０１５２】
そうすると、撮像部１１０が有するレンズ（図示せず）の焦点１３１ａから顔中心までの距離Ｌ[m]は、一般的な人の顔の縦方向の長さの平均値をＤ１[m]（既知の値）とすると、以下に示す式（２）で表される。前記したように、俯角εは、前記レンズの光軸が水平面となす角度である。
【数２】
0006368571.tif 000003
【０１５３】
図３３（ｃ）は、前記レンズの焦点から顔中心までの距離Ｌと、画角δｘ，δｙとの関係を示す説明図である。画像面Ｒの中心から画像上の顔中心までのｘ方向、ｙ方向の画角をそれぞれδｘ，δｙとすると、これらは以下に示す式（３）、式（４）で表される。ここで、ｘｃ，ｙｃは、画像内の人３９１の人中心の位置（画像内でのｘ座標、ｙ座標）である。また、Ｔｘ[pixel]は撮像画面の横サイズであり、Ｔｙ[pixel]は撮像画面の縦サイズであり、それぞれ既知の値である。
【数３】
0006368571.tif 000004
【０１５４】
したがって、実空間における人中心の位置座標は、以下に示す式（５）〜式（７）によって表される。
【数４】
0006368571.tif 000005
【０１５５】
すなわち、このｘ，ｙ，ｚの各値は図３３に図示のとおりであり、これらの値から室内機１００の空気吹出し口１０９ｂ側からみたＸ方向（図１２の左右方向）、Ｙ方向（図１２の上下方向）、Ｚ方向（図１２に垂直な方向）の座標が求められる。以上の処理により、処理Ｓ３２の処理を実現している。
【０１５６】
＜壁検出部・コーナ方向判定処理＞
図３４は、壁検出部のコーナ方向判定処理を示すフローチャートである。図３５は、壁検出部のコーナ方向判定処理で行う画像処理を示す図であり、（ａ）〜（ｅ）はこの順に画像処理の手順を示している。このコーナ方向判定処理は、図３１の撮像処理が実行されるたびに行う。
【０１５７】
すなわち、図３１の撮像処理で取得した左画像、中画像、右画像をそれぞれ対象として、次のような画像処理を行う。まず、壁検出部６４（図８参照）は、図３１の撮像処理で取得した画像（図３５（ａ）に、その例を示す）からエッジを検出する（処理Ｓ２１）。次に、壁検出部６４は、検出したエッジにフィルタリング処理を行い、所定値以上に太く、所定値以上に長く、かつ、所定値以上に明瞭なエッジのみを残す（処理Ｓ２２）。図３５（ｂ）には、このようにして図３５（ａ）の画像から得られたエッジ３７１を白い線図で示している。次に、壁検出部６４は、各エッジ３７１を、その長さ方向に延長する（処理Ｓ２３）。図３５（ｃ）には、このようにして延長した各エッジ３７１を示している。そして、壁検出部６４は、このように延長した各エッジ３７１の交点（図３５（ｄ）に示す交点３７２）を求める（処理Ｓ２４）。そして、各交点３７２の重心（図３５（ｅ）に示す重心３７３）を求める（処理Ｓ２５）。この重心３７３の座標は、各交点３７２の画像上の基準位置からのＸ方向（横方向）、Ｙ方向（縦方向）の距離の平均をそれぞれ求めることにより算出することができる。そして、この重心３７３の画像上の位置を部屋のコーナ（角部）の位置と推定することができる。これにより、室内のコーナ（重心３７３）の撮像部１１０からみた水平方向の方向がわかるので（前記の左画像、中画像、右画像のうちの何れの画像であるか、その画像中で重心３７３の位置は横方向の基準位置から何ピクセル目にあるかにより、当該方向がわかる）、当該コーナの方向を記憶部６９に記憶（設定）する（処理Ｓ２６）。この場合の記憶処理では、過去の所定回数分（例えば過去１０回分）のみのコーナ（重心３７３）の方向を記憶部６９に蓄積することとし、それより古い情報は削除する。そして、その過去の所定回数分の情報の平均値（移動平均の値）を、最終的なコーナ（重心３７３）の方向として確定し、記憶部６９に記憶する。これは、室内における家具や器物の配置移動により、記憶部６９に蓄積されている情報が示す室内の左右のコーナの方向は時間帯にばらつきを生じる場合があるからである。そのため、前記のとおり平均値を求めることで情報の中に含まれているノイズを除去して、最も確からしい方向を室内の左右のコーナ（重心３７３）の方向とすることができる。以下、重心３７３を適宜コーナ３７３という。処理Ｓ２６により、後記の方向３７６，３７７が設定される。
【０１５８】
なお、図３５（ｅ）の例では、室内機１００が設置されている部屋の引き戸３７４が開いているため、その開口部の奥のエッジが検出されて、重心３７３の位置が同図に示す位置となっている。しかし、引き戸３７４が閉められた状態の画像が撮像された場合であれば、符号３７５またはその近傍の位置が重心３７３となる可能性が高い。
【０１５９】
図１に示すように、撮像部１１０は、空気吹出し口１０９ｂ（図２参照）の長手方向の中央部近傍に位置するので、前記のようにして特定した重心３７３は、空気吹出し口１０９ｂ側からみた室内のコーナとみなすことができる。
【０１６０】
また、壁検出部６４は、図３０に示すように、処理Ｓ２５で求めた部屋のコーナ３７３（室内機１００に向かって左右のコーナ３７３ａ，３７３ｂ。以下、コーナ３７３（コーナ３７３ａ，３７３ｂ）というときは、撮像部１１０でみた空気吹出し口１０９ｂ側からの画像上での重心（図３５（ｅ））を意味する）の方向３７６，３７７のそれぞれの室内機１００の正面の方向３１１からみた角度が何度になるか判断する（処理Ｓ２７）。そして、この角度の小さい方の壁は大きい方の壁より空気吹出し口１０９ｂ側からみて近いと判断する（処理Ｓ２８）。すなわち、方向３７６と方向３１１とがなす角度が方向３７７と方向３１１とがなす角度より小さければ、壁３３６の方が壁３３５（図３６参照）より空気吹出し口１０９ｂ側からみて近いと判断する。方向３７７と方向３１１とがなす角度が方向３７６と方向３１１とがなす角度より小さければ、壁３３５の方が壁３３６より空気吹出し口１０９ｂ側からみて近いと判断する。このような、左右の壁３３６と壁３３５とのうち空気吹出し口１０９ｂ側からみて近いのは、あるいは遠いのはどちらであるかの情報も記憶部６９に記憶する（処理Ｓ２９）。
【０１６１】
図３６は、壁検出部のコーナ方向判定処理での室内の平面を示す説明図である。図３０と同様の構成に対しては、同一符号を付す。図３７を参照して、処理Ｓ２７，処理Ｓ２８の処理を具体的に説明する。まず、角度ａを算出する。これは、撮像部１１０の例えば水平方向の画素数が例えば６４０[pixel]であり、角度ａの範囲の（上下、左右方向の）画素数がβ[pixel]であったとすれば、“６４０[pixel]：β[pixel]＝６０°：ａ°”、“ａ°＝６０°×β[pixel]／６４０[pixel]”から求められる。そして、“Ａ°＝３０°＋ａ°”で角度Ａが求められる（範囲３１２の角度が約６０°で、３０°はその半分）。同様の考え方で、角度ｂを求め、“Ｂ°＝３０°−ｂ°”で角度Ｂが求められる。そして、この例では、“Ａ°＞Ｂ°”であるから、図１８において、壁３３５の方が壁３３６より空気吹出し口１０９ｂ側からみて遠いと判断できる。
【０１６２】
図３７は、壁検出部のコーナ方向判定処理を示す説明図であり、（ａ）は室内の平面図であり、（ｂ）は画像中の重心の決定について説明する説明図である。図３０と同様の構成に対しては、同一符号を付す。図３７（ａ）の平面図で示す室内のように、室内の形状が長方形、正方形ではなく、例えば、室内のコーナ部分３７８が室内側に角柱状に飛び出しているような形状の場合、撮影した画像３７９の例は図３７（ｂ）のようになる。このような場合には、図３７（ｂ）に示すように、コーナ（重心）３７３の候補（符号３７３ｃ）が複数求められることがある。
【０１６３】
このような場合には、複数の候補３７３ｃの画像上の基準位置からのＸ方向（横方向）、Ｙ方向（縦方向）の距離の平均をそれぞれ求めることにより、当該平均後の座標をコーナ（重心）３７３として求めることができる。
【０１６４】
以上の処理により、壁検出部６４は、空気吹出し口１０９ｂ側からみた部屋の左右のコーナ３７３ａ，３７３ｂ（図３６参照）の方向３７６，３７７を的確に判断することができる。また、壁検出部６４は、空気吹出し口１０９ｂ側からみて室内の左右の壁３３５，３３６のうちどちらが近く、どちらが遠いかも判断することができる。
【０１６５】
＜壁検出部・拡がり範囲判定処理＞
図３８は、壁検出部の拡がり範囲判定処理を示すフローチャートである。図３９は、壁検出部の拡がり範囲判定処理での室内配置を示す平面図である。図３８、図３９を参照して、図３２に示した人位置判定処理の結果を用いて室内の拡がりの範囲を判定する処理について説明する。まず、所定時間ｔ１ごとに図３１の撮像処理が行われ、その度に図３２の処理が実行され、その結果が記憶部６９に記憶されている。そこで、壁検出部６４は、前記処理Ｓ３３（図３２参照）により、新たに人の座標情報が記憶部６９に記憶されると（処理Ｓ４１，Ｙｅｓ）、当該人の座標情報から、室内の左右のコーナの方向３７６と方向３７７との間の領域３８３の外側の領域３８１に人の座標が存在するか否かを判断する（処理Ｓ４２）。領域３８１に人の座標が存在するときは（図３９の符号３８２で当該人の例を示している）（処理Ｓ４２，Ｙｅｓ）、当該人のＸ方向の座標（図３９の左右方向）位置を室内機１００に向かって右側の壁３３６（または左側の壁３３５）の位置と推定する（処理Ｓ４３）。これは当該座標に人３８２が位置するということは、壁３３６（または左側の壁３３５）は少なくとも当該座標の位置あるいはさらにその外側にあることになるので、その人３８２の位置を現時点での壁３３６（または左側の壁３３５）の位置とするものである。
【０１６６】
これにより、壁３３６（または壁３３５）の現時点における推定位置がわかるので、室内の各コーナおよび各壁の位置を推定する（処理Ｓ４４）。すなわち、この壁３３６（または壁３３５）の位置のＹ方向を延長していき、コーナの方向３７６（またはコーナーの方向３７７）との交点が現実のコーナ４２２ａ（またはコーナ４２２ｂ）であると推定できる。また、当該コーナ４２２ａ（またはコーナ４２２ｂ）の位置をＸ方向に延長していき、他のコーナの方向３７７（またはコーナ３７６）に達するまでが正面の壁３３４の位置と推定できる。そして、そのコーナの方向３７７（またはコーナ３７６）と交わった位置が他の現実のコーナ４２２ｂ（またはコーナ４２２ａ）であると判定できる。さらに当該位置からＹ方向に延長していった位置が壁３３５及び壁３３６のうちの他方の壁の位置であると推定することができる。
【０１６７】
一方、処理Ｓ４４の後、または、領域３８１に人の座標が存在しなかった場合には（処理Ｓ４２，Ｎｏ）、室内の左右のコーナの方向３７６と方向３７７との間の領域３８３に人の座標が存在するときは（図３９の符号３８４で当該人の例を示している）（処理Ｓ４５，Ｙｅｓ）、当該人のＹ方向の座標位置を室内機１００の正面の壁３３４の位置と推定する（処理Ｓ４６）。これは当該座標に人３８４が位置するということは、壁３３４は少なくとも当該座標の位置あるいはさらにその外側にあることになるので、その人３８４の位置を現時点での壁３３４の位置とするものである。
【０１６８】
これにより、正面の壁３３４の位置がわかるので、室内の各コーナおよび各壁の位置を判断する（処理Ｓ４７）。すなわち、この正面の壁３３４をＸ方向に延長していき、コーナの方向３７６およびコーナの方向３７７との交点が、現実のコーナ４２１ａおよびコーナ４２１ｂであると推定できる。そして、この現実の各コーナ４２１ａ及びコーナ４２１ｂをＹ方向に延長していくと、当該位置が壁３３６および壁３３５であると推定することができる。
【０１６９】
処理Ｓ４７の後、または、室内の左右のコーナの方向３７６と方向３７７との間の領域３８３に人の座標が存在しなかったときは（処理Ｓ４５，Ｎｏ）、処理Ｓ４４および処理Ｓ４７で推定された現実の各コーナおよび各壁の位置のうち、室内機１００側から最も遠いものを各コーナおよび各壁の位置の最終的な判定結果とする（処理Ｓ４８）。
【０１７０】
図３９には、人３８４に基づいて推定される壁３３１，３３４，３３５，３３６の位置をそれぞれ３３１ａ，３３４ａ，３３５ａ，３３６ａ（破線）として示している。同様に、人３８２に基づいて推定される壁３３１，３３４，３３５，３３６の位置をそれぞれ３３１ｂ，３３４ｂ，３３５ｂ，３３６ｂ（実線）として示している。
【０１７１】
この場合、処理Ｓ４４または処理Ｓ４７でしか判定結果が得られなかったときは、当該得られた判定結果（人を複数検出したときは、室内機１００側から最も遠いものの判定結果）を各壁および各コーナの位置の判定結果とする。そして、この判定結果を記憶部６９に記憶する（処理Ｓ４９）。この各壁及び各コーナの情報は所定時間ｔ１ごとに取得するので、この情報の記憶は、所定時間ｔ１ごとに行われる。そして、この情報の記憶は、所定の基準時以後（例えば、直近の過去３０回分）の各壁及び各コーナの情報のうち、壁の位置が室内機１００側から最も遠いものの情報で更新するように行う。これにより、所定の基準時以後に取得した情報のうち、各壁及び各コーナの位置が室内機１００側から最も遠いものの情報が処理Ｓ４９で記憶される。
【０１７２】
なお、このようにして特定した空気吹出し口１０９ｂ側からの室内の左右における現実のコーナ４２１ａ，４２１ｂ，４２２ａ，４２２ｂ（と推定される位置）までのそれぞれの距離も、次のように求められる。すなわち、
“コーナ４２１ａまでの距離＝√（（壁３３６ａまでの距離)２＋（壁３３４ａまでの距離)２）”、
“コーナ４２１ｂまでの距離＝√（（壁３３５ａまでの距離)２＋（壁３３４ａまでの距離)２）”である。コーナ４２２ａまでの距離、コーナ４２２ｂまでの距離も同様に求められる。
【０１７３】
以上説明したように、壁検出部６４は、撮像部１１０で撮影された画像から、風向部の水平方向の向きにおいて、空気吹出し口１０９ｂの前方側の右のコーナの方向と、空気吹出し口１０９ｂの前方側の左のコーナの方向と、人検出部６２で検知した人の位置とに基づいて室内の壁の位置を検知することができる。
【０１７４】
本実施形態では、撮像部１１０の画像を用いた壁検出部６４について説明したが、これに限定されるものではない。例えば、近赤外線を室内に向けて照射し、赤外線透過フィルタ（ＩＲ透過フィルタ）を備えたＣＣＤイメージセンサで撮像し、画像の上方の輝度と、輝度と距離のデータベースとの比較から、側面の壁や正面の壁までの距離を推定してもよい。
【０１７５】
また、近赤外線を複数本の平行線状に室内に向けて照射し、ＩＲ透過フィルタを備えたＣＣＤイメージセンサで撮像し、平行線の間隔の違いから側面や正面の壁までの距離を推定してもよい。
【０１７６】
さらに、撮像部１１０は、室内機１００の前面に据え付けられているとして説明したが、同様の方法で天井に据え付けられる撮像部により、床を検出することで壁を検出してもよい。
【０１７７】
人検出部６２、足検出部６３は、撮像部１１０の画像に基づいて人を検知しているがこれに限定されるものではない。例えば、センサ部５０として、赤外線センサ、サーモパイル、サーモグラフィー、焦電型センサ、超音波センサ、騒音センサを使用してもよい。人検出部６２で検出するのは、人の位置に限られず、活動量、生活シーン等であってもよい。温度検知センサとしてサーモパイルを用いる場合、例えば横×縦が１×１画素、４×４画素、１×８画素で構成されるサーモパイルとし、前面パネルの左右方向中央の下部に設置するとよい。温度検知センサは、室内の平均的な表面温度に限られず、検出範囲の内の人を除いた領域の室内の表面温度、人の着衣の表面温度、人の皮膚の温度、床や壁や天井の各部の表面温度を検出することができる。
【０１７８】
本実施形態の変形例として、撮像部は、物体の表面の温度分布を画像として撮影可能なものであってもよい。すなわち、空気調和機Ａは、撮像部で撮影された画像に基づき室内の人を検出する人検出部６２と、撮像部で撮影された画像に基づき検出された人の足元を検出する足検出部６３と、撮像部で撮影された画像に基づき室内の障害物の位置を検出する障害物検出部６５と、検出された障害物が気流を通り抜ける形状であるか否かを検出する通り抜け可否検出部６６と、足検出部が人の足元を検出できない場合、障害物の有無および障害物が気流を通り抜ける形状であるか否かに基づいて、送風する気流方向を変更する気流制御部６８とを有することを特徴としてもよい。なお、障害物検出部６５が温度画像に基づき判定する場合、例えば、暖房時の温風気流を床面に送風した際の床と家具との温度差を検知して行うとよい。
【０１７９】
本実施形態の空気調和機によれば、風向の制御範囲内の所定の位置に集中的に、かつ、適切に送風することができる。
【符号の説明】
【０１８０】
４０    リモコン（空調制御端末）
４１    表示画面
４４    足元気流ボタン（操作部）
４７    送受信部
５０    センサ部
６０    制御部
６１    撮像制御部
６２    人検出部
６３    足検出部
６４    壁検出部
６５    障害物検出部
６６    通り抜け可否検出部
６８    気流制御部
６９    記憶部
１００    室内機
１０３    送風ファン
１０４    左右風向板
１０５    上下風向板
１０６    前面パネル
１０９ｂ    空気吹出し口
１１０    撮像部
１１１    撮像部本体
１１２    可視光カットフィルタ（フィルタ）
１１３    開口部
１１４    フィルタ用モータ（フィルタ可動機構）
１１５    フィルタ用ギア（フィルタ可動機構）
１２０    近赤外線光源
１３０    温度検知部
１４０    足元モニター（表示部）
２００    室外機
２０２    圧縮機
２０７    プロペラファン
Ａ    空気調和機
【図１】
0006368571.tif 000006
【図２】
0006368571.tif 000007
【図３】
0006368571.tif 000008
【図４】
0006368571.tif 000009
【図５】
0006368571.tif 000010
【図６】
0006368571.tif 000011
【図７】
0006368571.tif 000012
【図８】
0006368571.tif 000013
【図９】
0006368571.tif 000014
【図１０】
0006368571.tif 000015
【図１１】
0006368571.tif 000016
【図１２】
0006368571.tif 000017
【図１３】
0006368571.tif 000018
【図１４】
0006368571.tif 000019
【図１５】
0006368571.tif 000020
【図１６】
0006368571.tif 000021
【図１７】
0006368571.tif 000022
【図１８】
0006368571.tif 000023
【図１９】
0006368571.tif 000024
【図２０】
0006368571.tif 000025
【図２１】
0006368571.tif 000026
【図２２】
0006368571.tif 000027
【図２３】
0006368571.tif 000028
【図２４】
0006368571.tif 000029
【図２５】
0006368571.tif 000030
【図２６】
0006368571.tif 000031
【図２７】
0006368571.tif 000032
【図２８】
0006368571.tif 000033
【図２９】
0006368571.tif 000034
【図３０】
0006368571.tif 000035
【図３１】
0006368571.tif 000036
【図３２】
0006368571.tif 000037
【図３３】
0006368571.tif 000038
【図３４】
0006368571.tif 000039
【図３５】
0006368571.tif 000040
【図３６】
0006368571.tif 000041
【図３７】
0006368571.tif 000042
【図３８】
0006368571.tif 000043
【図３９】
0006368571.tif 000044